(57)【特許請求の範囲】
【請求項１】
アクセスおよびモビリティ管理機能エンティティによって、セッション管理機能エンティティにより送信された第１のメッセージを受信する段階であって、前記第１のメッセージは、プロトコルデータユニット（ＰＤＵ）セッションの接続を再アクティブ化するよう命令するために用いられる第１の再アクティブ化指標を保持し、前記ＰＤＵセッションは、Ｎ３ＧＰＰ側でユーザ機器によって確立されている、段階、および
前記ユーザ機器が前記Ｎ３ＧＰＰ側でアイドル状態にあるとき、前記アクセスおよびモビリティ管理機能エンティティによって、前記第１の再アクティブ化指標を格納する段階、前記アクセスおよびモビリティ管理機能エンティティによって、前記ユーザ機器により送信された第２のメッセージを、Ｎ３ＧＰＰアクセスネットワークを用いて受信する段階であって、前記第２のメッセージは、周期的登録要求または第１のサービス要求である、段階、および前記アクセスおよびモビリティ管理機能エンティティによって、前記第１の再アクティブ化指標に基づき、前記Ｎ３ＧＰＰアクセスネットワークを用いて、第３のメッセージを前記ユーザ機器に送信する段階であって、前記第３のメッセージは、前記ユーザ機器に対し、前記ＰＤＵセッションの前記接続を再アクティブ化するよう命令するための接続再アクティブ化指標を保持する、段階、または
前記ユーザ機器が前記Ｎ３ＧＰＰ側でアイドル状態にあるとき、前記アクセスおよびモビリティ管理機能エンティティによって、第４のメッセージを前記セッション管理機能エンティティに送信する段階であって、前記第４のメッセージは、前記ユーザ機器が到達不可能であることを示すために用いられる、段階、を備える、接続再アクティブ化方法であって、
前記アクセスおよびモビリティ管理機能エンティティによって、第４のメッセージを前記セッション管理機能エンティティに前記送信する段階の前に、前記接続再アクティブ化方法は、さらに、
前記アクセスおよびモビリティ管理機能エンティティによって、前記ユーザ機器が次の周期的登録要求を開始する時点に基づき、前記第４のメッセージを送信するか否かを決定する段階を備える、接続再アクティブ化方法。
【請求項２】
前記第１の再アクティブ化指標は、前記ＰＤＵセッションのセッション識別子を含む、請求項１に記載の接続再アクティブ化方法。
【請求項３】
アクセスおよびモビリティ管理機能エンティティによって、セッション管理機能エンティティにより送信された第１のメッセージを受信する段階であって、前記第１のメッセージは、プロトコルデータユニット（ＰＤＵ）セッションの接続を再アクティブ化するよう命令するために用いられる第１の再アクティブ化指標を保持し、前記ＰＤＵセッションは、Ｎ３ＧＰＰ側でユーザ機器によって確立されている、段階、および
前記ユーザ機器が前記Ｎ３ＧＰＰ側でアイドル状態にあるとき、前記アクセスおよびモビリティ管理機能エンティティによって、前記第１の再アクティブ化指標を格納する段階、前記アクセスおよびモビリティ管理機能エンティティによって、前記ユーザ機器により送信された第２のメッセージを、Ｎ３ＧＰＰアクセスネットワークを用いて受信する段階であって、前記第２のメッセージは、周期的登録要求または第１のサービス要求である、段階、および前記アクセスおよびモビリティ管理機能エンティティによって、前記第１の再アクティブ化指標に基づき、前記Ｎ３ＧＰＰアクセスネットワークを用いて、第３のメッセージを前記ユーザ機器に送信する段階であって、前記第３のメッセージは、前記ユーザ機器に対し、前記ＰＤＵセッションの前記接続を再アクティブ化するよう命令するための接続再アクティブ化指標を保持する、段階、または
前記ユーザ機器が前記Ｎ３ＧＰＰ側でアイドル状態にあるとき、前記アクセスおよびモビリティ管理機能エンティティによって、第４のメッセージを前記セッション管理機能エンティティに送信する段階であって、前記第４のメッセージは、前記ユーザ機器が到達不可能であることを示すために用いられる、段階、を備える、接続再アクティブ化方法であって、
前記接続再アクティブ化指標は、前記ＰＤＵセッションのセッション識別子、前記ＰＤＵセッションに関連付けられた無線アクセス技術タイプ、および前記ＰＤＵセッションに関連付けられたアクセスネットワーク識別子のうちの１または複数を含み、
前記アクセスおよびモビリティ管理機能エンティティによって、第４のメッセージを前記セッション管理機能エンティティに前記送信する段階の前に、前記接続再アクティブ化方法は、さらに、
前記アクセスおよびモビリティ管理機能エンティティによって、前記ユーザ機器が次の周期的登録要求を開始する時点に基づき、前記第４のメッセージを送信するか否かを決定する段階を備える、接続再アクティブ化方法。
【請求項４】
ユーザ機器によって、Ｎ３ＧＰＰアクセスネットワークを用いて第２のメッセージをアクセスおよびモビリティ管理機能エンティティに送信する段階であって、前記第２のメッセージは、周期的登録要求または第１のサービス要求である、段階と、
前記ユーザ機器によって、前記アクセスおよびモビリティ管理機能エンティティにより送信された第３のメッセージを、前記Ｎ３ＧＰＰアクセスネットワークを用いて受信する段階であって、前記第３のメッセージは、接続再アクティブ化指標を保持する、段階と、
前記ユーザ機器によって、前記Ｎ３ＧＰＰアクセスネットワークを用いて第２のサービス要求を開始する段階であって、前記第２のサービス要求は、ＰＤＵセッションの接続の再アクティブ化を要求するために用いられ、前記ＰＤＵセッションは、Ｎ３ＧＰＰ側で前記ユーザ機器によって確立されている、段階と、を備える、接続再アクティブ化方法。
【請求項５】
前記接続再アクティブ化指標は、前記ＰＤＵセッションのセッション識別子、前記ＰＤＵセッションに関連付けられた無線アクセス技術タイプ、および前記ＰＤＵセッションに関連付けられたアクセスネットワーク識別子のうちの１または複数を含む、請求項４に記載の接続再アクティブ化方法。
【請求項６】
アクセスおよびモビリティ管理機能エンティティによって、セッション管理機能エンティティにより送信された第１のメッセージを受信する段階であって、前記第１のメッセージは、プロトコルデータユニット（ＰＤＵ）セッションの接続を再アクティブ化するよう命令するために用いられる第１の再アクティブ化指標を保持し、前記ＰＤＵセッションは、Ｎ３ＧＰＰ側でユーザ機器によって確立されている、段階と、
前記ユーザ機器が前記Ｎ３ＧＰＰ側でアイドル状態にあるとき、前記アクセスおよびモビリティ管理機能エンティティによって、前記第１の再アクティブ化指標に基づき、３ＧＰＰアクセスネットワークを用いて、第２のメッセージを前記ユーザ機器に送信する段階であって、前記第２のメッセージは、前記ユーザ機器に対し、前記ＰＤＵセッションの前記接続を再アクティブ化するよう命令するために用いられ、前記第２のメッセージは、第２の再アクティブ化指標を含み、前記第２の再アクティブ化指標は、前記ＰＤＵセッションに関連付けられたＮ３ＧＰＰアクセス技術タイプを含む、段階と、を備える、接続再アクティブ化方法。
【請求項７】
前記アクセスおよびモビリティ管理機能エンティティによって、前記第１の再アクティブ化指標に基づき、３ＧＰＰアクセスネットワークを用いて、第２のメッセージを前記ユーザ機器に前記送信する段階は、
前記ユーザ機器が３ＧＰＰ側で接続状態にあると決定したとき、前記アクセスおよびモビリティ管理機能エンティティによって、前記第１の再アクティブ化指標に基づき、前記３ＧＰＰアクセスネットワークを用いて通知メッセージを前記ユーザ機器に送信する段階であって、前記通知メッセージは、接続再アクティブ化指標を保持し、前記接続再アクティブ化指標は、前記ユーザ機器に対し、前記ＰＤＵセッションの前記接続を再アクティブ化するよう命令するために用いられる、段階、または、
前記ユーザ機器が３ＧＰＰ側でアイドル状態にあると決定したとき、前記アクセスおよびモビリティ管理機能エンティティによって、前記第１の再アクティブ化指標に基づき、前記３ＧＰＰアクセスネットワークを用いてページングメッセージを前記ユーザ機器に送信する段階であって、前記ページングメッセージは、接続再アクティブ化指標を保持し、前記接続再アクティブ化指標は、前記ユーザ機器に対し、前記ＰＤＵセッションの前記接続を再アクティブ化するよう命令するために用いられる、段階を含む、請求項６に記載の接続再アクティブ化方法。
【請求項８】
前記第１の再アクティブ化指標は、前記ＰＤＵセッションのセッション識別子を含む、請求項６または７に記載の接続再アクティブ化方法。
【請求項９】
前記セッション管理機能エンティティによって、前記第１のメッセージを前記アクセスおよびモビリティ管理機能エンティティに送信する段階をさらに備える、請求項６から８のいずれか一項に記載の接続再アクティブ化方法。
【請求項１０】
ユーザ機器がＮ３ＧＰＰ側でアイドル状態にあるとき、前記ユーザ機器によって、アクセスおよびモビリティ管理機能エンティティにより送信された第２のメッセージを、３ＧＰＰアクセスネットワークを用いて受信する段階であって、前記第２のメッセージは、プロトコルデータユニット（ＰＤＵ）セッションの接続を再アクティブ化するよう命令するために用いられ、前記ＰＤＵセッションは、前記Ｎ３ＧＰＰ側で前記ユーザ機器によって確立され、前記第２のメッセージは、再アクティブ化指標を含み、前記再アクティブ化指標は、前記ＰＤＵセッションに関連付けられたＮ３ＧＰＰアクセス技術タイプを含む、段階と、
前記ユーザ機器によって、Ｎ３ＧＰＰアクセスネットワークを用いることによってサービス要求を開始する段階であって、前記サービス要求は、前記ＰＤＵセッションの前記接続の再アクティブ化を要求するために用いられる、段階と、を備える、接続再アクティブ化方法。
【請求項１１】
前記ユーザ機器によって、アクセスおよびモビリティ管理機能エンティティにより送信された第２のメッセージを、３ＧＰＰアクセスネットワークを用いて前記受信する段階は、
前記ユーザ機器が３ＧＰＰ側で接続状態にあるとき、前記ユーザ機器によって、前記アクセスおよびモビリティ管理機能エンティティにより送信された通知メッセージを、前記３ＧＰＰアクセスネットワークを用いて受信する段階であって、前記通知メッセージは、接続再アクティブ化指標を保持し、前記接続再アクティブ化指標は、前記ユーザ機器に対し、前記ＰＤＵセッションの前記接続を再アクティブ化するよう命令するために用いられる、段階、または、
前記ユーザ機器が３ＧＰＰ側でアイドル状態にあるとき、前記ユーザ機器によって、前記アクセスおよびモビリティ管理機能エンティティにより送信されたページングメッセージを、前記３ＧＰＰアクセスネットワークを用いて受信する段階であって、前記ページングメッセージは、接続再アクティブ化指標を保持し、前記接続再アクティブ化指標は、前記ユーザ機器に対し、前記ＰＤＵセッションの前記接続を再アクティブ化するよう命令するために用いられる、段階を含む、請求項１０に記載の接続再アクティブ化方法。
【請求項１２】
前記ユーザ機器によって、サービス要求を前記開始する段階の前に、前記接続再アクティブ化方法は、さらに、
前記ユーザ機器によって、前記接続再アクティブ化指標および前記ユーザ機器内に格納されたコンテキストに基づき、Ｎ３ＧＰＰアクセスネットワークを用いて、前記サービス要求を開始すると決定する段階を備える、
請求項１１に記載の接続再アクティブ化方法。
【請求項１３】
前記サービス要求は、前記ＰＤＵセッションのセッション識別子を保持する、請求項１０から１２のいずれか一項に記載の接続再アクティブ化方法。
【請求項１４】
セッション管理機能エンティティにより送信された第１のメッセージを受信するように構成された受信機であって、前記第１のメッセージは、プロトコルデータユニット（ＰＤＵ）セッションの接続を再アクティブ化するよう命令するために用いられる第１の再アクティブ化指標を保持し、前記ＰＤＵセッションは、Ｎ３ＧＰＰ側でユーザ機器によって確立されている、受信機、および
メモリ内に格納されたプログラムを実行して、前記ユーザ機器が前記Ｎ３ＧＰＰ側でアイドル状態にあるとき、前記第１の再アクティブ化指標を格納する手順を実行させるように構成されたプロセッサであって、前記受信機は、さらに、前記ユーザ機器により送信された第２のメッセージを、Ｎ３ＧＰＰアクセスネットワークを用いて受信するように構成されており、前記第２のメッセージは、周期的登録要求または第１のサービス要求である、プロセッサおよび前記第１の再アクティブ化指標に基づき、前記Ｎ３ＧＰＰアクセスネットワークを用いて第３のメッセージを前記ユーザ機器に送信するように構成された送信機であって、前記第３のメッセージは、前記ユーザ機器に対し、前記ＰＤＵセッションの前記接続を再アクティブ化するよう命令するための接続再アクティブ化指標を保持する、送信機、または
前記ユーザ機器が前記Ｎ３ＧＰＰ側でアイドル状態のとき、第４のメッセージを前記セッション管理機能エンティティに送信するように構成されている送信機であって、前記第４のメッセージは、前記ユーザ機器が到達不可能であることを示すために用いられる、送信機、を備える、アクセスおよびモビリティ管理機能エンティティであって、
前記プロセッサは、さらに、前記メモリ内に格納された前記プログラムを実行して、
前記送信機が、前記第４のメッセージを前記セッション管理機能エンティティに送信する前に、前記ユーザ機器が次の周期的登録要求を開始する時点に基づき、前記第４のメッセージを送信するか否かを決定する手順を実行させるように構成されている、アクセスおよびモビリティ管理機能エンティティ。
【請求項１５】
前記第１の再アクティブ化指標は、前記ＰＤＵセッションのセッション識別子を含む、請求項１４に記載のアクセスおよびモビリティ管理機能エンティティ。
【請求項１６】
セッション管理機能エンティティにより送信された第１のメッセージを受信するように構成された受信機であって、前記第１のメッセージは、プロトコルデータユニット（ＰＤＵ）セッションの接続を再アクティブ化するよう命令するために用いられる第１の再アクティブ化指標を保持し、前記ＰＤＵセッションは、Ｎ３ＧＰＰ側でユーザ機器によって確立されている、受信機、および
メモリ内に格納されたプログラムを実行して、前記ユーザ機器が前記Ｎ３ＧＰＰ側でアイドル状態にあるとき、前記第１の再アクティブ化指標を格納する手順を実行させるように構成されたプロセッサであって、前記受信機は、さらに、前記ユーザ機器により送信された第２のメッセージを、Ｎ３ＧＰＰアクセスネットワークを用いて受信するように構成されており、前記第２のメッセージは、周期的登録要求または第１のサービス要求である、プロセッサおよび前記第１の再アクティブ化指標に基づき、前記Ｎ３ＧＰＰアクセスネットワークを用いて第３のメッセージを前記ユーザ機器に送信するように構成された送信機であって、前記第３のメッセージは、前記ユーザ機器に対し、前記ＰＤＵセッションの前記接続を再アクティブ化するよう命令するための接続再アクティブ化指標を保持する、送信機、または
前記ユーザ機器が前記Ｎ３ＧＰＰ側でアイドル状態のとき、第４のメッセージを前記セッション管理機能エンティティに送信するように構成されている送信機であって、前記第４のメッセージは、前記ユーザ機器が到達不可能であることを示すために用いられる、送信機、を備える、アクセスおよびモビリティ管理機能エンティティであって、
前記接続再アクティブ化指標が、前記ＰＤＵセッションのセッション識別子、前記ＰＤＵセッションに関連付けられた無線アクセス技術タイプおよび前記ＰＤＵセッションに関連付けられたアクセスネットワーク識別子のうちの１または複数を含み、
前記プロセッサは、さらに、前記メモリ内に格納された前記プログラムを実行して、
前記送信機が、前記第４のメッセージを前記セッション管理機能エンティティに送信する前に、前記ユーザ機器が次の周期的登録要求を開始する時点に基づき、前記第４のメッセージを送信するか否かを決定する手順を実行させるように構成されている、アクセスおよびモビリティ管理機能エンティティ。
【請求項１７】
Ｎ３ＧＰＰアクセスネットワークを用いて、第２のメッセージをアクセスおよびモビリティ管理機能エンティティに送信するように構成された送信機であって、前記第２のメッセージは、周期的登録要求または第１のサービス要求である、送信機と、
前記アクセスおよびモビリティ管理機能エンティティにより送信された第３のメッセージを、前記Ｎ３ＧＰＰアクセスネットワークを用いて受信するように構成された受信機であって、前記第３のメッセージは、接続再アクティブ化指標を保持する、受信機と、を備え、
前記送信機は、さらに、前記Ｎ３ＧＰＰアクセスネットワークを用いて、第２のサービス要求を開始するように構成されており、前記第２のサービス要求は、ＰＤＵセッションの接続の再アクティブ化を要求するために用いられ、前記ＰＤＵセッションは、Ｎ３ＧＰＰ側でユーザ機器によって確立されている、ユーザ機器。
【請求項１８】
前記接続再アクティブ化指標が、前記ＰＤＵセッションのセッション識別子、前記ＰＤＵセッションに関連付けられた無線アクセス技術タイプおよび前記ＰＤＵセッションに関連付けられたアクセスネットワーク識別子のうちの１または複数を含む、請求項１７に記載のユーザ機器。
【請求項１９】
セッション管理機能エンティティにより送信された第１のメッセージを受信するように構成された受信機であって、前記第１のメッセージは、プロトコルデータユニット（ＰＤＵ）セッションの接続を再アクティブ化するよう命令するために用いられる第１の再アクティブ化指標を保持し、前記ＰＤＵセッションは、Ｎ３ＧＰＰ側でユーザ機器によって確立されている、受信機と、
前記ユーザ機器が前記Ｎ３ＧＰＰ側でアイドル状態にあるとき、前記第１の再アクティブ化指標に基づき、３ＧＰＰアクセスネットワークを用いて、第２のメッセージを前記ユーザ機器に送信するように構成された送信機であって、前記第２のメッセージは、前記ユーザ機器に対し、前記ＰＤＵセッションの前記接続を再アクティブ化するよう命令するために用いられ、前記第２のメッセージは、第２の再アクティブ化指標を含み、前記第２の再アクティブ化指標は、前記ＰＤＵセッションに関連付けられたＮ３ＧＰＰアクセス技術タイプを含む、送信機と、を備える、アクセスおよびモビリティ管理機能エンティティ。
【請求項２０】
前記第１の再アクティブ化指標に基づき、前記３ＧＰＰアクセスネットワークを用いて、前記第２のメッセージを前記ユーザ機器に送信するとき、前記第２のメッセージは、前記ユーザ機器に対し、前記ＰＤＵセッションの前記接続を再アクティブ化するよう命令するために用いられる場合において、前記送信機は、具体的に、
前記ユーザ機器が３ＧＰＰ側で接続状態にあるとき、前記第１の再アクティブ化指標に基づき、前記３ＧＰＰアクセスネットワークを用いて、通知メッセージを前記ユーザ機器に送信するように構成されており、前記通知メッセージは、接続再アクティブ化指標を保持し、前記接続再アクティブ化指標は、前記ユーザ機器に対し、前記ＰＤＵセッションの前記接続を再アクティブ化するよう命令するために用いられる、または、
前記ユーザ機器が３ＧＰＰ側でアイドル状態にあるとき、前記第１の再アクティブ化指標に基づき、前記３ＧＰＰアクセスネットワークを用いて、ページングメッセージを前記ユーザ機器に送信するように構成されており、前記ページングメッセージは、接続再アクティブ化指標を保持し、前記接続再アクティブ化指標は、前記ユーザ機器に対し、前記ＰＤＵセッションの前記接続を再アクティブ化するよう命令するために用いられる、請求項１９に記載のアクセスおよびモビリティ管理機能エンティティ。
【請求項２１】
前記第１の再アクティブ化指標は、前記ＰＤＵセッションのセッション識別子を含む、請求項１９または２０に記載のアクセスおよびモビリティ管理機能エンティティ。
【請求項２２】
ユーザ機器がＮ３ＧＰＰ側でアイドル状態にあるとき、アクセスおよびモビリティ管理機能エンティティにより送信された第２のメッセージを、３ＧＰＰアクセスネットワークを用いて受信するように構成された受信機であって、前記第２のメッセージは、プロトコルデータユニット（ＰＤＵ）セッションの接続を再アクティブ化するよう命令するために用いられ、前記ＰＤＵセッションは、前記Ｎ３ＧＰＰ側で前記ユーザ機器によって確立され、前記第２のメッセージは、再アクティブ化指標を含み、前記再アクティブ化指標は、前記ＰＤＵセッションに関連付けられたＮ３ＧＰＰアクセス技術タイプを含む、受信機と、
Ｎ３ＧＰＰアクセスネットワークを用いることによってサービス要求を開始するように構成された送信機であって、前記サービス要求は、前記ＰＤＵセッションの前記接続の再アクティブ化を要求するために用いられる、送信機と、を備える、ユーザ機器。
【請求項２３】
前記アクセスおよびモビリティ管理機能エンティティにより送信された前記第２のメッセージを、前記３ＧＰＰアクセスネットワークを用いて受信するとき、前記受信機は、具体的に、
前記ユーザ機器が３ＧＰＰ側で接続状態にあるとき、前記アクセスおよびモビリティ管理機能エンティティにより送信された通知メッセージを、前記３ＧＰＰアクセスネットワークを用いて受信するように構成されており、前記通知メッセージは、接続再アクティブ化指標を保持し、前記接続再アクティブ化指標は、前記ユーザ機器に対し、前記ＰＤＵセッションの前記接続を再アクティブ化するよう命令するために用いられる、または
前記ユーザ機器が３ＧＰＰ側でアイドル状態にあるとき、前記アクセスおよびモビリティ管理機能エンティティにより送信されたページングメッセージを、前記３ＧＰＰアクセスネットワークを用いて受信するように構成されており、前記ページングメッセージは、接続再アクティブ化指標を保持し、前記接続再アクティブ化指標は、前記ユーザ機器に対し、前記ＰＤＵセッションの前記接続を再アクティブ化するよう命令するために用いられる、請求項２２に記載のユーザ機器。
【請求項２４】
メモリ内に格納されたプログラムを実行して、前記送信機が、前記サービス要求を開始する前に、前記接続再アクティブ化指標および前記ユーザ機器に格納されたコンテキストに基づいて、前記サービス要求が、Ｎ３ＧＰＰアクセスネットワークを用いて開始されるべきであることを決定する手順を実行させるように構成されたプロセッサをさらに備える、
請求項２３に記載のユーザ機器。
【請求項２５】
ストレージユニットと、前記ストレージユニットに連結された処理ユニットとを備え、前記処理ユニットは、前記ストレージユニット内に格納された命令を実行して、装置に、請求項１から３のいずれか一項に記載の接続再アクティブ化方法を実装させるように構成されている、装置。
【請求項２６】
ストレージユニットと、前記ストレージユニットに連結された処理ユニットとを備え、前記処理ユニットは、前記ストレージユニット内に格納された命令を実行して、装置に、請求項４または５に記載の接続再アクティブ化方法を実装させるように構成されている、装置。
【請求項２７】
ストレージユニットと、前記ストレージユニットに連結された処理ユニットとを備え、前記処理ユニットは、前記ストレージユニット内に格納された命令を実行して、装置に、請求項６から９のいずれか一項に記載の接続再アクティブ化方法を実装させるように構成されている、装置。
【請求項２８】
ストレージユニットと、前記ストレージユニットに連結された処理ユニットとを備え、前記処理ユニットは、前記ストレージユニット内に格納された命令を実行して、装置に、請求項１０から１３のいずれか一項に記載の接続再アクティブ化方法を実装させるように構成されている、装置。
【請求項２９】
格納されたプログラムを有するコンピュータ可読記憶媒体であって、前記プログラムは、請求項１から１３のいずれか一項に記載の接続再アクティブ化方法を実行するための命令を有する、コンピュータ可読記憶媒体。
【請求項３０】
コンピュータユニットに、請求項１から１３のいずれか一項に記載の接続再アクティブ化方法を実行させるための、コンピュータプログラム。
【請求項３１】
請求項１４から１６および請求項１９から２１のいずれか一項に記載のアクセスおよびモビリティ管理機能エンティティと、セッション管理機能エンティティと、を備える、システム。
【請求項３２】
前記システムは、さらに、ユーザプレーン機能エンティティを備える、請求項３１に記載のシステム。
【発明の詳細な説明】
【技術分野】
【０００１】
本願は、通信技術の分野に関し、具体的には、接続再アクティブ化方法、アクセスおよびモビリティ管理機能エンティティ並びにユーザ機器に関する。
【背景技術】
【０００２】
無線通信ネットワークのアーキテクチャにおいては、コアネットワークが、ユーザ機器（User End、UE）に、３ＧＰＰ（3rd Generation Partnership Project、第３世代パートナーシッププロジェクト）アクセスネットワーク、Ｎ３ＧＰＰ（non-3GPP、非３ＧＰＰ）アクセスネットワーク、または３ＧＰＰアクセスネットワークおよびＮ３ＧＰＰアクセスネットワークの両方を用いて、アクセスできるようにする。３ＧＰＰアクセスネットワークを用いてアクセスすることは、ユーザ機器が、３ＧＰＰで規定された技術を用いてコアネットワークにアクセスすることを意味する。例えば、ユーザ機器は、基地局を用いてコアネットワークにアクセスする。Ｎ３ＧＰＰアクセスネットワークを用いてアクセスすることは、ユーザは、非３ＧＰＰで規定された技術を用いてコアネットワークにアクセスすることを意味する。例えば、ユーザは、ＷｉＦｉ（Wireless Fidelity、IEEE 802.11b規格に基づく無線ローカルエリアネットワーク）を通してコアネットワークにアクセスする。
【０００３】
５Ｇネットワークにおいては、ユーザ機器が３ＧＰＰアクセスネットワークを用いてコアネットワークにアクセスした場合に、ユーザ機器が一定期間データを送信しないと、ユーザ機器は、接続状態（CONNECTED状態）からアイドル（IDLE状態）へ切り替わり、エアインタフェースおよびＮＡＳ（Non-Access Stratum、非アクセス層）シグナリング接続を解放し、これにより、ネットワークリソースを節約し、ユーザ機器の電気エネルギー消費量を低減する。ダウンリンクデータが到達したとき、またはユーザ機器がアップリンクデータ若しくはシグナリングを送信する必要があるときに、ユーザ機器は、アイドル状態から接続状態に切り替わり得る。
【０００４】
ユーザ機器がＮ３ＧＰＰアクセスネットワークを用いて５Ｇコアネットワークにアクセスする場合も、ユーザ機器はアイドル状態または接続状態にある。しかしながら、Ｎ３ＧＰＰ側で、ユーザ機器に配信されるべきダウンリンクデータがＰＤＵ（Protocol Data Unit、プロトコルデータユニット）セッションで受信されるときに、既存の５Ｇネットワークには、ユーザ機器が、アイドル状態から接続状態へ切り替わる方法を規定した解決手段はない。従って、ユーザ機器がアイドル状態にあるときに、ダウンリンクデータが到達すると、Ｎ３ＧＰＰアクセスネットワークにおけるリソースは解放されているので、ユーザ機器はページングを受けることができず、ダウンリンクデータの送信エラーとなる。
【０００５】
従って、ユーザ機器がＮ３ＧＰＰアクセスネットワークを用いて５Ｇコアネットワークにアクセスし、ユーザ機器がアイドル状態にあるときに、ダウンリンクデータの送信の成功を保証すべく、ユーザ機器をアイドル状態から接続状態へ切り替えることを可能にする接続再アクティブ化ソリューションが、早急に必要である。
【発明の概要】
【０００６】
本願の実施形態は、接続再アクティブ化方法、アクセスおよびモビリティ管理機能エンティティ並びにユーザ機器を提供し、ユーザ機器がＮ３ＧＰＰアクセスネットワークを用いて、５Ｇコアネットワークにアクセスし、ユーザ機器がアイドル状態にあるときに、ユーザ機器をアイドル状態から接続状態へ切り替えることを可能にする接続再アクティブ化ソリューションを提供し、これにより、ダウンリンクデータの送信の成功を保証する。
【０００７】
本願の実施形態は、接続再アクティブ化方法、アクセスおよびモビリティ管理機能エンティティ並びにユーザ機器を提供し、ユーザ機器がＮ３ＧＰＰアクセスネットワークを用いて、５Ｇコアネットワークにアクセスし、ユーザ機器がアイドル状態にあるときに、ユーザ機器をアイドル状態から接続状態へ切り替えることを可能にする接続再アクティブ化ソリューションを提供し、これにより、ダウンリンクデータの送信の成功を保証する。
【０００８】
第１の態様によると、本願の一実施形態は、接続再アクティブ化方法を提供する。方法は、アクセスおよびモビリティ管理機能エンティティが、セッション管理機能エンティティにより送信された第１のメッセージを受信することを含む。第１のメッセージは、Ｎ３ＧＰＰ側でユーザ機器によって確立されたＰＤＵセッションの接続を再アクティブ化するよう命令するために用いられる第１の再アクティブ化指標を保持する。
【０００９】
ユーザ機器がＮ３ＧＰＰ側でアイドル状態にあるとき、アクセスおよびモビリティ管理機能エンティティは、第１の再アクティブ化指標を格納する。アクセスおよびモビリティ管理機能エンティティは、ユーザ機器によって送信された第２のメッセージを、Ｎ３ＧＰＰアクセスネットワークを用いて受信する。第２のメッセージは、周期的登録要求または第１のサービス要求である。アクセスおよびモビリティ管理機能エンティティは、第１の再アクティブ化指標に基づき、Ｎ３ＧＰＰアクセスネットワークを用いて、第３のメッセージをユーザ機器に送信する。第３のメッセージは、ユーザ機器に対し、ＰＤＵセッションの接続を再アクティブ化するよう命令するための接続再アクティブ化指標を保持する。
【００１０】
代替的に、ユーザ機器がＮ３ＧＰＰ側でアイドル状態にあるとき、アクセスおよびモビリティ管理機能エンティティは、第４のメッセージをセッション管理機能エンティティに送信する。第４のメッセージは、ユーザ機器が到達不可能であることを示すために用いられる。
【００１１】
ユーザ機器がアイドル状態にあるとき、アクセスおよびモビリティ管理機能エンティティは、セッション管理機能エンティティによって送信された第１のメッセージを受信した後、第１の再アクティブ化指標を格納し、ユーザ機器が周期的登録要求または第１のサービス要求を開始した後、第１の再アクティブ化指標に基づき、第３のメッセージをユーザ機器に送信し、ユーザ機器に対し、Ｎ３ＧＰＰ側でユーザ機器によって確立されたＰＤＵセッションの接続を再アクティブ化するよう命令するための接続再アクティブ化指標を第３のメッセージに追加する。従って、第１の態様において提供される接続再アクティブ化方法によると、ユーザ機器がＮ３ＧＰＰアクセスネットワークのみを用いてコアネットワークにアクセスし、ユーザ機器がアイドル状態にあるとき、ユーザ機器をアイドル状態から接続状態へ切り替えることを可能にする接続再アクティブ化ソリューションが提供されてよく、その結果、ユーザ機器は、ＰＤＵセッションの接続を再アクティブ化できる。
【００１２】
第１の再アクティブ化指標は、ＰＤＵセッションのセッション識別子であってよいことに留意されたい。接続再アクティブ化指標は、ＰＤＵセッションのセッション識別子、ＰＤＵセッションに関連付けられた無線アクセス技術タイプおよびＰＤＵセッションに関連付けられたアクセスネットワーク識別子のうちの１または複数を含んでよい。
【００１３】
第１の態様に基づく可能な実装において、アクセスおよびモビリティ管理機能エンティティは、セッション管理機能エンティティによって送信された第１のメッセージを受信した後、データキャッシュタイマを取得する。データキャッシュタイマがタイムアウトする前に、アクセスおよびモビリティ管理機能エンティティは、第１の再アクティブ化指標に基づき、Ｎ３ＧＰＰアクセスネットワークを用いて、第３のメッセージをユーザ機器に送信する。
【００１４】
随意で、アクセスおよびモビリティ管理機能エンティティはまた、セッション管理機能エンティティを用いて、データキャッシュタイマをユーザプレーン機能エンティティに送信してもよい。この場合、データキャッシュタイマは、ユーザプレーン機能エンティティが、ダウンリンクデータをキャッシュする期間を示すために用いられてよい。すなわち、データキャッシュタイマがタイムアウトすると、ユーザプレーン機能エンティティは、ＰＤＵセッション内で、ユーザ機器に配信されるべきダウンリンクデータを破棄する。
【００１５】
第１の態様に基づく可能な実装において、アクセスおよびモビリティ管理機能エンティティが第４のメッセージをセッション管理機能エンティティに送信する前に、アクセスおよびモビリティ管理機能エンティティは、ユーザ機器が次の周期的登録要求を開始する時点に基づき、第４のメッセージを送信するか否かを決定してよい。
【００１６】
ユーザ機器が次の周期的登録要求を開始する時点と、現在の時点との間の時間的距離が比較的長い場合、アクセスおよびモビリティ管理機能エンティティは、ユーザ機器が到達不可能であることを示すべく、第４のメッセージをセッション管理機能エンティティに送信してよい。この場合、第４のメッセージを受信した後、セッション管理機能エンティティは、ユーザプレーン機能エンティティに対し、ユーザ機器に配信されるべきダウンリンクデータを破棄するよう命令してよく、これにより、ユーザプレーン機能エンティティに、ダウンリンクデータが長期間格納されることで生じるリソースの無駄を回避する。
【００１７】
第２の態様によると、本願の一実施形態は、接続再アクティブ化方法を提供する。方法は、ユーザ機器が、Ｎ３ＧＰＰアクセスネットワークを用いて、第２のメッセージをアクセスおよびモビリティ管理機能エンティティに送信することを含む。第２のメッセージは、周期的登録要求または第１のサービス要求である。ユーザ機器は、アクセスおよびモビリティ管理機能エンティティによって送信された第３のメッセージを、Ｎ３ＧＰＰアクセスネットワークを用いて受信する。第３のメッセージは、ユーザ機器に対し、Ｎ３ＧＰＰ側で確立されたＰＤＵセッションの接続を、Ｎ３ＧＰＰアクセスネットワークを用いて再アクティブ化するよう命令するための接続再アクティブ化指標を保持する。ユーザ機器は、Ｎ３ＧＰＰアクセスネットワークを用いて、第２のサービス要求を開始する。第２のサービス要求は、ＰＤＵセッションの接続の再アクティブ化を要求するために用いられる。
【００１８】
接続再アクティブ化指標は、ＰＤＵセッションのセッション識別子、ＰＤＵセッションに関連付けられた無線アクセス技術タイプおよびＰＤＵセッションに関連付けられたアクセスネットワーク識別子のうちの１または複数を含む。
【００１９】
第３の態様によると、本願の一実施形態は、接続再アクティブ化方法を提供する。方法は、アクセスおよびモビリティ管理機能エンティティが、セッション管理機能エンティティによって送信された第１のメッセージを受信することを含む。第１のメッセージは、Ｎ３ＧＰＰ側でユーザ機器によって確立されたＰＤＵセッションの接続を再アクティブ化するよう命令するために用いられる第１の再アクティブ化指標を保持する。ユーザ機器がＮ３ＧＰＰ側でアイドル状態にあるとき、アクセスおよびモビリティ管理機能エンティティは、第１の再アクティブ化指標に基づき、３ＧＰＰアクセスネットワークを用いて、第２のメッセージをユーザ機器に送信し、第２のメッセージは、ユーザ機器に対し、ＰＤＵセッションの接続を再アクティブ化するよう命令するために用いられる。
【００２０】
第１の再アクティブ化指標は、ＰＤＵセッションのセッション識別子を含む。
【００２１】
ユーザ機器がアイドル状態にあるとき、第１の再アクティブ化指標を保持し、且つ、セッション管理機能エンティティによって配信される第１のメッセージを受信した後、アクセスおよびモビリティ管理機能エンティティは、第２のメッセージを用いて、ユーザ機器に対し、Ｎ３ＧＰＰ側で確立されたＰＤＵセッションの接続を再アクティブ化するよう命令すべく、第１の再アクティブ化指標に基づき、３ＧＰＰアクセスネットワークを用いて、第２のメッセージをユーザ機器に送信する。第２のメッセージを受信した後、ユーザ機器は、Ｎ３ＧＰＰ側で確立されたＰＤＵセッションの接続を再アクティブ化すべく、第２のメッセージに基づき、サービス要求を開始してよい。第３の態様において提供される接続再アクティブ化方法では、ユーザ機器は３ＧＰＰアクセスネットワークを用いてコアネットワークにアクセスしているので、アクセスおよびモビリティ管理機能エンティティは、ユーザ機器に対し、Ｎ３ＧＰＰ側で確立されたＰＤＵセッションの接続を再アクティブ化するよう命令すべく、３ＧＰＰアクセスネットワークを用いて、第２のメッセージをユーザ機器に送信してよい。第３の態様において提供される接続再アクティブ化方法によると、ユーザ機器が、３ＧＰＰアクセスネットワークおよびＮ３ＧＰＰアクセスネットワークの両方を用いてコアネットワークにアクセスし、ユーザ機器がＮ３ＧＰＰ側でアイドル状態にあるとき、Ｎ３ＧＰＰ側でユーザ機器をアイドル状態から接続状態へ切り替えることを可能にする接続再アクティブ化ソリューションが提供可能であり、その結果、ユーザ機器は、Ｎ３ＧＰＰ側で確立されたＰＤＵセッションの接続を再アクティブ化でき、これにより、Ｎ３ＧＰＰ側でのダウンリンクデータの送信の成功を保証する。
【００２２】
第３の態様に基づく可能な実装において、アクセスおよびモビリティ管理機能エンティティが、第１の再アクティブ化指標に基づき、３ＧＰＰアクセスネットワークを用いて、第２のメッセージをユーザ機器に送信し、第２のメッセージが、ユーザ機器に対し、ＰＤＵセッションの接続を再アクティブ化するよう命令するために用いられるということは、具体的には、以下の２つの方式で実装されてよい。
【００２３】
方式１
【００２４】
ユーザ機器が３ＧＰＰ側で接続状態にあると決定すると、アクセスおよびモビリティ管理機能エンティティは、第１の再アクティブ化指標に基づき、３ＧＰＰアクセスネットワークを用いて、通知メッセージをユーザ機器に送信する。通知メッセージは、接続再アクティブ化指標を保持し、接続再アクティブ化指標は、ユーザ機器に対し、ＰＤＵセッションの接続を再アクティブ化するよう命令するために用いられる。
【００２５】
接続再アクティブ化指標は、ＰＤＵセッションのセッション識別子、ＰＤＵセッションに関連付けられた無線アクセス技術タイプ、およびＰＤＵセッションに関連付けられたアクセスネットワーク識別子のうちの１または複数を含む。
【００２６】
方式２
【００２７】
ユーザ機器が３ＧＰＰ側でアイドル状態にあると決定すると、アクセスおよびモビリティ管理機能エンティティは、第１の再アクティブ化指標に基づき、３ＧＰＰアクセスネットワークを用いて、ページングメッセージをユーザ機器に送信する。ページングメッセージは、接続再アクティブ化指標を保持し、接続再アクティブ化指標は、ユーザ機器に対し、ＰＤＵセッションの接続を再アクティブ化するよう命令するために用いられる。
【００２８】
接続再アクティブ化指標は、ＰＤＵセッションのセッション識別子、ＰＤＵセッションに関連付けられた無線アクセス技術タイプおよびＰＤＵセッションに関連付けられたアクセスネットワーク識別子のうちの１または複数を含む。
【００２９】
第３の態様に基づく可能な実装において、第２のメッセージは、ユーザ機器に対し、Ｎ３ＧＰＰアクセスネットワークを用いて、ＰＤＵセッションの接続を再アクティブ化するよう命令するために用いられる。
【００３０】
第２のメッセージが、ユーザ機器に対し、Ｎ３ＧＰＰアクセスネットワークを用いて、ＰＤＵセッションの接続を再アクティブ化するよう命令するために用いられる場合、アクセスおよびモビリティ管理機能エンティティは、第２のメッセージを用いて、ユーザ機器に対し、Ｎ３ＧＰＰアクセスネットワークを用いてＰＤＵセッションの接続を再アクティブ化するよう命令してよい。３ＧＰＰアクセスネットワークを用いて第２のメッセージを受信した後、ユーザ機器は、Ｎ３ＧＰＰアクセスネットワークを用いて、ＰＤＵセッションを再アクティブ化するためのサービス要求を開始してよい。
【００３１】
第３の態様に基づく可能な実装において、セッション管理機能エンティティによって送信された第１のメッセージを受信した後であって、第２のメッセージをユーザ機器に送信する前に、アクセスおよびモビリティ管理機能エンティティは、ＰＤＵセッションのコンテキストを３ＧＰＰ側に結合する。ユーザ機器が、ＰＤＵセッションをＮ３ＧＰＰ側から３ＧＰＰ側に切り替えた後、第２のメッセージは、ユーザ機器に対し、３ＧＰＰアクセスネットワークを用いて、ＰＤＵセッションの接続を再アクティブ化するよう命令するために用いられる。
【００３２】
また、ＰＤＵセッションのコンテキストを３ＧＰＰ側に結合する前に、アクセスおよびモビリティ管理機能エンティティは、ネットワークポリシーを取得してよい。ネットワークポリシーは、ＰＤＵセッションが、Ｎ３ＧＰＰ側から３ＧＰＰ側へ切り替わり得ることを示すために用いられる。
【００３３】
アクセスおよびモビリティ管理機能エンティティによってネットワークポリシーを取得する特定の方式は、以下の通りであってよい。すなわち、アクセスおよびモビリティ管理機能エンティティは、ＰＤＵセッションの確立時に、ＵＤＭ（Unified Data Management、一元化データ管理）またはＰＣＦ（Policy Control Function、ポリシー制御機能エンティティ）からネットワークポリシーを取得する。代替的に、アクセスおよびモビリティ管理機能エンティティは、第１のメッセージの受信時に、ＵＤＭまたはＰＣＦからネットワークポリシーを取得する。
【００３４】
アクセスおよびモビリティ管理機能エンティティによってユーザ機器に送信された第２のメッセージは、ユーザ機器がＰＤＵセッションをＮ３ＧＰＰ側から３ＧＰＰ側に切り替えた後に、ユーザ機器に対し、３ＧＰＰアクセスネットワークを用いて、ＰＤＵセッションの接続を再アクティブ化するよう命令するために用いられる。この場合、第２のメッセージを受信した後、ユーザ機器は、Ｎ３ＧＰＰ側で確立されたＰＤＵセッションの接続の再アクティブ化を要求すべく、第２のメッセージの指標に基づき、３ＧＰＰアクセスネットワークを用いて、サービス要求を開始してよい。
【００３５】
第４の態様によると、本願の一実施形態は、接続再アクティブ化方法を提供する。方法は、ユーザ機器がＮ３ＧＰＰ側でアイドル状態にあるとき、ユーザ機器は、アクセスおよびモビリティ管理機能エンティティによって送信された第２のメッセージを、３ＧＰＰアクセスネットワークを用いて受信することを含む。第２のメッセージは、Ｎ３ＧＰＰ側で確立されたＰＤＵセッションの接続を再アクティブ化するよう命令するために用いられる。ユーザ機器は、サービス要求を開始し、サービス要求は、ＰＤＵセッションの接続の再アクティブ化を要求するために用いられる。
【００３６】
第４の態様に基づく可能な実装において、ユーザ機器が、アクセスおよびモビリティ管理機能エンティティによって送信された第２のメッセージを、３ＧＰＰアクセスネットワークを用いて受信することは、具体的に、以下の方式で実装されてよい。
【００３７】
方式１
【００３８】
ユーザ機器が３ＧＰＰ側で接続状態にあるとき、ユーザ機器は、アクセスおよびモビリティ管理機能エンティティによって送信された通知メッセージを、３ＧＰＰアクセスネットワークを用いて受信する。通知メッセージは、接続再アクティブ化指標を保持し、接続再アクティブ化指標は、ユーザ機器に対し、ＰＤＵセッションの接続を再アクティブ化するよう命令するために用いられる。
【００３９】
方式２
【００４０】
ユーザ機器が３ＧＰＰ側でアイドル状態にあるとき、ユーザ機器は、アクセスおよびモビリティ管理機能エンティティによって送信されたページングメッセージを、３ＧＰＰアクセスネットワークを用いて受信する。ページングメッセージは、接続再アクティブ化指標を保持し、接続再アクティブ化指標は、ユーザ機器に対し、ＰＤＵセッションの接続を再アクティブ化するよう命令するために用いられる。
【００４１】
接続再アクティブ化指標は、ＰＤＵセッションのセッション識別子、ＰＤＵセッションに関連付けられた無線アクセス技術タイプ、およびＰＤＵセッションに関連付けられたアクセスネットワーク識別子のうちの１または複数を含む。接続再アクティブ化指標が、ＰＤＵセッション識別子を含む場合、ユーザ機器はサービス要求の開始時に、ＰＤＵセッション識別子をサービス要求に追加してよい。
【００４２】
第４の態様に基づく可能な実装において、第２のメッセージが、ユーザ機器に対し、Ｎ３ＧＰＰアクセスネットワークを用いて、ＰＤＵセッションの接続を再アクティブ化するよう命令するために用いられるとき、ユーザ機器は、Ｎ３ＧＰＰアクセスネットワークを用いて、サービス要求を開始する。
【００４３】
第４の態様に基づく可能な実装において、ユーザ機器がサービス要求を開始する前に、ユーザ機器は、接続再アクティブ化指標およびユーザ機器に格納されたコンテキストに基づき、Ｎ３ＧＰＰアクセスネットワークを用いて、サービス要求を開始すると決定する。この場合、サービス要求の開始時に、ユーザ機器は、Ｎ３ＧＰＰアクセスネットワークを用いて、サービス要求を開始してよい。
【００４４】
例えば、アクセスおよびモビリティ管理機能エンティティによってユーザ機器に送信された第２のメッセージに保持された接続再アクティブ化指標は、ＰＤＵセッションのコンテキストのみを含む。この場合、第２のメッセージを受信すると、ユーザ機器は、ＰＤＵセッション識別子に基づき、ユーザ機器に格納されたコンテキストをクエリして、そのＰＤＵセッションがＮ３ＧＰＰ側で確立されていることを認識してよい。この場合、ＰＤＵセッションの接続の再アクティブ化時に、ユーザ機器は、Ｎ３ＧＰＰアクセスネットワークを用いて、サービス要求を開始してよい。
【００４５】
第４の態様に基づく可能な実装において、ユーザ機器が、ＰＤＵセッションをＮ３ＧＰＰ側から３ＧＰＰ側に切り替えた後、第２のメッセージが、ユーザ機器に対し、３ＧＰＰアクセスネットワークを用いて、ＰＤＵセッションの接続を再アクティブ化するよう命令する場合、サービス要求を開始する前に、ユーザ機器は、まず、ＰＤＵセッションのコンテキストを３ＧＰＰ側に結合した後、３ＧＰＰアクセスネットワークを用いてサービス要求を開始する。
【００４６】
第４の態様に基づく可能な実装において、アクセスおよびモビリティ管理機能エンティティによって送信された第２のメッセージを、３ＧＰＰアクセスネットワークを用いて受信した後であって、サービス要求を開始する前に、ユーザ機器はストレージポリシーを取得してよい。ストレージポリシーは、ユーザ機器がサービス要求を開始するとき、ユーザ機器のアクセスネットワーク選択ポリシーを示すために用いられる。その後、ユーザ機器は、サービス要求を開始してよい。ユーザ機器は、具体的には、以下の２つの実装を用いて、サービス要求を開始する。
【００４７】
方式１
【００４８】
ユーザ機器は、ストレージポリシーの指標に基づき、Ｎ３ＧＰＰアクセスネットワークを用いて、サービス要求を開始する。
【００４９】
方式２
【００５０】
ユーザ機器は、ストレージポリシーの指標に基づき、ＰＤＵセッションのコンテキストを３ＧＰＰ側に結合し、３ＧＰＰアクセスネットワークを用いて、サービス要求を開始する。
【００５１】
具体的には、ユーザ機器は、ユーザ構成を通して、または、アクセスおよびモビリティ管理機能エンティティを用いて、ストレージポリシーを取得してよい。
【００５２】
第５の態様によると、本願は、アクセスおよびモビリティ管理機能エンティティを提供する。アクセスおよびモビリティ管理機能エンティティは、受信機、送信機、プロセッサおよびメモリを含む。
【００５３】
受信機は、セッション管理機能エンティティによって送信された第１のメッセージを受信するように構成されている。第１のメッセージは、Ｎ３ＧＰＰ側でユーザ機器によって確立されたＰＤＵセッションの接続を再アクティブ化するよう命令するために用いられる第１の再アクティブ化指標を保持する。プロセッサは、メモリ内に格納されたプログラムを実行して、ユーザ機器がＮ３ＧＰＰ側でアイドル状態にあるとき、第１の再アクティブ化指標を格納する手順を実行させるように構成されている。受信機は、さらに、ユーザ機器によって送信された第２のメッセージを、Ｎ３ＧＰＰアクセスネットワークを用いて受信するように構成されている。第２のメッセージは、周期的登録要求または第１のサービス要求である。送信機は、第１の再アクティブ化指標に基づき、Ｎ３ＧＰＰアクセスネットワークを用いて、第３のメッセージをユーザ機器に送信するように構成されている。第３のメッセージは、ユーザ機器に対し、ＰＤＵセッションの接続を再アクティブ化するよう命令するための接続再アクティブ化指標を保持する。第１の再アクティブ化指標は、ＰＤＵセッションのセッション識別子を含んでよい。接続再アクティブ化指標は、ＰＤＵセッションのセッション識別子、ＰＤＵセッションに関連付けられた無線アクセス技術タイプ、およびＰＤＵセッションに関連付けられたアクセスネットワーク識別子のうちの１または複数を含んでよい。
【００５４】
代替的に、受信機は、セッション管理機能エンティティによって送信された第１のメッセージを受信するように構成されている。第１のメッセージは、Ｎ３ＧＰＰ側でユーザ機器によって確立されたＰＤＵセッションの接続を再アクティブ化するよう命令するために用いられる第１の再アクティブ化指標を保持する。送信機は、さらに、ユーザ機器がＮ３ＧＰＰ側でアイドル状態にあるとき、第４のメッセージをセッション管理機能エンティティに送信するように構成されている。第４のメッセージは、ユーザ機器が到達不可能であることを示すために用いられる。
【００５５】
第５の態様に基づく可能な実装において、プロセッサは、さらに、メモリ内に格納されたプログラムを実行して、受信機が、セッション管理機能エンティティによって送信された第１のメッセージを受信した後、データキャッシュタイマを取得する手順を実行するように構成されている。送信機が、第１の再アクティブ化指標に基づいて、Ｎ３ＧＰＰアクセスネットワークを用いて、第３のメッセージをユーザ機器に送信するとき、送信機は、具体的に、データキャッシュタイマがタイムアウトする前に、第１の再アクティブ化指標に基づき、Ｎ３ＧＰＰアクセスネットワークを用いて、第３のメッセージをユーザ機器に送信するように構成されている。
【００５６】
第５の態様に基づく可能な実装において、プロセッサは、さらに、メモリ内に格納されたプログラムを実行して、送信機が第４のメッセージをセッション管理機能エンティティに送信する前に、ユーザ機器が、次の周期的登録要求を開始する時点に基づき、第４のメッセージを送信するか否かを決定する手順を実行させるよう構成されている。
【００５７】
第６の態様によると、本願の一実施形態は、ユーザ機器を提供する。ユーザ機器は、送信機および受信機を含む。送信機は、Ｎ３ＧＰＰアクセスネットワークを用いて、第２のメッセージをアクセスおよびモビリティ管理機能エンティティに送信するように構成されている。第２のメッセージは、周期的登録要求または第１のサービス要求である。受信機は、アクセスおよびモビリティ管理機能エンティティによって送信された第３のメッセージを、Ｎ３ＧＰＰアクセスネットワークを用いて受信するように構成されている。第３のメッセージは、接続再アクティブ化指標を保持する。送信機は、さらに、Ｎ３ＧＰＰアクセスネットワークを用いて、第２のサービス要求を開始するように構成されている。第２のサービス要求は、ＰＤＵセッションの接続の再アクティブ化を要求するために用いられ、ＰＤＵセッションは、Ｎ３ＧＰＰ側でユーザ機器によって確立されている。
【００５８】
接続再アクティブ化指標は、ＰＤＵセッションのセッション識別子、ＰＤＵセッションに関連付けられた無線アクセス技術タイプ、およびＰＤＵセッションに関連付けられたアクセスネットワーク識別子のうちの１または複数を含む。
【００５９】
第７の態様によると、本願の一実施形態は、アクセスおよびモビリティ管理機能エンティティを提供する。アクセスおよびモビリティ管理機能エンティティは、受信機および送信機を含む。受信機は、セッション管理機能エンティティによって送信された第１のメッセージを受信するように構成されている。第１のメッセージは、Ｎ３ＧＰＰ側でユーザ機器によって確立されたＰＤＵセッションの接続を再アクティブ化するよう命令するために用いられる第１の再アクティブ化指標を保持する。送信機は、ユーザ機器がＮ３ＧＰＰ側でアイドル状態にあるとき、第１の再アクティブ化指標に基づき、３ＧＰＰアクセスネットワークを用いて、第２のメッセージをユーザ機器に送信するように構成されており、第２のメッセージは、ユーザ機器に対し、ＰＤＵセッションの接続を再アクティブ化するよう命令するために用いられる。
【００６０】
第１の再アクティブ化指標は、ＰＤＵセッションのセッション識別子を含んでよい。
【００６１】
第７の態様に基づく可能な実装において、第１の再アクティブ化指標に基づき、第２のメッセージをユーザ機器に３ＧＰＰアクセスネットワークを用いて送信する場合において、第２のメッセージが、ユーザ機器に対し、ＰＤＵセッションの接続を再アクティブ化するよう命令するために用いられるとき、送信機は、具体的に、ユーザ機器が３ＧＰＰ側で接続状態にあるとき、第１の再アクティブ化指標に基づき、３ＧＰＰアクセスネットワークを用いて、通知メッセージをユーザ機器に送信するように構成されており、通知メッセージは、接続再アクティブ化指標を保持し、接続再アクティブ化指標は、ユーザ機器に対し、ＰＤＵセッションの接続を再アクティブ化するよう命令するために用いられる、または、ユーザ機器が３ＧＰＰ側でアイドル状態にあるとき、第１の再アクティブ化指標に基づき、３ＧＰＰアクセスネットワークを用いて、ページングメッセージをユーザ機器に送信するように構成されており、ページングメッセージは、接続再アクティブ化指標を保持し、接続再アクティブ化指標は、ユーザ機器に対し、ＰＤＵセッションの接続を再アクティブ化するよう命令するために用いられる。
【００６２】
接続再アクティブ化指標は、ＰＤＵセッションのセッション識別子、ＰＤＵセッションに関連付けられた無線アクセス技術タイプ、およびＰＤＵセッションに関連付けられたアクセスネットワーク識別子のうちの１または複数を含む。
【００６３】
第７の態様に基づく可能な実装において、第２のメッセージは、ユーザ機器に対し、Ｎ３ＧＰＰアクセスネットワークを用いて、ＰＤＵセッションの接続を再アクティブ化するよう命令するために用いられる。
【００６４】
第７の態様に基づく可能な実装において、アクセスおよびモビリティ管理機能エンティティは、さらに、プロセッサを含む。プロセッサは、メモリ内に格納されたプログラムを実行して、受信機がセッション管理機能エンティティによって送信された第１のメッセージを受信した後であって、送信機が第２のメッセージをユーザ機器に送信する前に、ＰＤＵセッションのコンテキストを３ＧＰＰ側に結合する手順を実行させるように構成されている。第２のメッセージは、ユーザ機器がＰＤＵセッションをＮ３ＧＰＰ側から３ＧＰＰ側に切り替えた後、ユーザ機器に対し、３ＧＰＰアクセスネットワークを用いて、ＰＤＵセッションの接続を再アクティブ化するよう命令するために用いられる。
【００６５】
第７の態様に基づく可能な実装において、プロセッサは、さらに、メモリ内に格納されたプログラムを実行して、ＰＤＵセッションのコンテキストを３ＧＰＰ側に結合する前に、ネットワークポリシーを取得する手順を実行させるように構成されている。ネットワークポリシーは、ＰＤＵセッションが、Ｎ３ＧＰＰ側から３ＧＰＰ側へ切り替わり得ることを示すために用いられる。
【００６６】
第７の態様に基づく可能な実装において、ネットワークポリシーを取得するとき、プロセッサは、具体的に、ＰＤＵセッションの確立時に、ＵＤＭまたはＰＣＦからネットワークポリシーを取得する、または、第１のメッセージの受信時に、ＵＤＭまたはＰＣＦからネットワークポリシーを取得する、ように構成されている。
【００６７】
第８の態様によると、本願の一実施形態は、ユーザ機器を提供する。ユーザ機器は、受信機および送信機を含む。受信機は、ユーザ機器がＮ３ＧＰＰ側でアイドル状態にあるとき、アクセスおよびモビリティ管理機能エンティティによって送信された第２のメッセージを、３ＧＰＰアクセスネットワークを用いて受信するように構成されている。第２のメッセージは、Ｎ３ＧＰＰ側でユーザ機器によって確立されたＰＤＵセッションの接続を再アクティブ化するよう命令するために用いられる。送信機は、サービス要求を開始するように構成されている。サービス要求は、ＰＤＵセッションの接続の再アクティブ化を要求するために用いられる。
【００６８】
第８の態様に基づく可能な実装において、アクセスおよびモビリティ管理機能エンティティによって送信された第２のメッセージを、３ＧＰＰアクセスネットワークを用いて受信するとき、受信機は、具体的に、ユーザ機器が３ＧＰＰ側で接続状態にあるとき、アクセスおよびモビリティ管理機能エンティティによって送信された通知メッセージを、３ＧＰＰアクセスネットワークを用いて受信するように構成されており、通知メッセージは、接続再アクティブ化指標を保持し、接続再アクティブ化指標は、ユーザ機器に対し、ＰＤＵセッションの接続を再アクティブ化するよう命令するために用いられる、または、ユーザ機器が３ＧＰＰ側でアイドル状態にあるとき、アクセスおよびモビリティ管理機能エンティティによって送信されたページングメッセージを、３ＧＰＰアクセスネットワークを用いて受信するように構成されており、ページングメッセージは、接続再アクティブ化指標を保持し、接続再アクティブ化指標は、ユーザ機器に対し、ＰＤＵセッションの接続を再アクティブ化するよう命令するために用いられる。
【００６９】
接続再アクティブ化指標は、ＰＤＵセッションのセッション識別子、ＰＤＵセッションに関連付けられた無線アクセス技術タイプ、およびＰＤＵセッションに関連付けられたアクセスネットワーク識別子のうちの１または複数を含む。接続再アクティブ化指標がＰＤＵセッションのセッション識別子を保持する場合、サービス要求はＰＤＵセッションのセッション識別子を保持してよい。
【００７０】
第８の態様に基づく可能な実装において、サービス要求を開始するとき、送信機は、具体的に、Ｎ３ＧＰＰアクセスネットワークを用いて、サービス要求を開始するように構成されている。第２のメッセージは、ユーザ機器に対し、Ｎ３ＧＰＰアクセスネットワークを用いて、ＰＤＵセッションの接続を再アクティブ化するよう命令するために用いられる。
【００７１】
第８の態様に基づく可能な実装において、ユーザ機器は、さらに、プロセッサを含む。プロセッサは、メモリ内に格納されたプログラムを実行して、送信機がサービス要求を開始する前に、接続再アクティブ化指標およびユーザ機器に格納されたコンテキストに基づき、サービス要求がＮ３ＧＰＰアクセスネットワークを用いて開始されるべきであると決定する手順を実行させるように構成されている。サービス要求を開始するとき、送信機は、具体的に、Ｎ３ＧＰＰアクセスネットワークを用いて、サービス要求を開始するように構成されている。
【００７２】
第８の態様に基づく可能な実装において、プロセッサは、さらに、メモリ内に格納されたプログラムを実行して、送信機がサービス要求を開始する前に、ＰＤＵセッションのコンテキストを３ＧＰＰ側に結合する手順を実行させるように構成されている。サービス要求を開始するとき、送信機は、具体的に、３ＧＰＰアクセスネットワークを用いて、サービス要求を開始するように構成されている。第２のメッセージは、ユーザ機器がＰＤＵセッションをＮ３ＧＰＰ側から３ＧＰＰ側に切り替えた後、ユーザ機器に対し、３ＧＰＰアクセスネットワークを用いて、ＰＤＵセッションの接続を再アクティブ化するよう命令するために用いられる。
【００７３】
第８の態様に基づく可能な実装において、プロセッサは、さらに、メモリ内に格納されたプログラムを実行して、受信機が、アクセスおよびモビリティ管理機能エンティティによって送信された第２のメッセージを、３ＧＰＰアクセスネットワークを用いて受信した後であって、送信機がサービス要求を開始する前に、ストレージポリシーを取得する手順を実行させるように構成されている。ストレージポリシーは、ユーザ機器がサービス要求を開始するときの、ユーザ機器のアクセスネットワーク選択ポリシーを示すために用いられる。サービス要求を開始するとき、送信機は、具体的に、ストレージポリシーの指標に基づき、Ｎ３ＧＰＰアクセスネットワークを用いて、サービス要求を開始する、または、ストレージポリシーの指標に基づき、ＰＤＵセッションのコンテキストを３ＧＰＰ側に結合し、および、３ＧＰＰアクセスネットワークを用いて、サービス要求を開始する、ように構成されている。
【００７４】
第８の態様に基づく可能な実装において、ストレージポリシーを取得するとき、プロセッサは、具体的に、ユーザ構成を通して、または、アクセスおよびモビリティ管理機能エンティティを用いて、ストレージポリシーを取得するように構成されている。
【００７５】
第９の態様によると、本願の一実施形態は、アクセスおよびモビリティ管理機能エンティティを提供する。アクセスおよびモビリティ管理機能エンティティおよび第５の態様において提供されるアクセスおよびモビリティ管理機能エンティティは、同一の機能エンティティであってよい。アクセスおよびモビリティ管理機能エンティティは、通信ユニット、処理ユニットおよびストレージユニットを含む。処理ユニットは、第１の態様によるアクセスおよびモビリティ管理機能エンティティの処理動作を実行するように構成されている。通信ユニットは、第１の態様によるアクセスおよびモビリティ管理機能エンティティの送信および受信動作を実行するように構成されている。ストレージユニットは、アクセスおよびモビリティ管理機能エンティティのプログラムコードおよびデータを格納するように構成されている。
【００７６】
第１０の態様によると、本願の一実施形態は、ユーザ機器を提供する。ユーザ機器および第６の態様において提供されるユーザ機器は、同一のデバイスであってよい。ユーザ機器は、通信ユニット、処理ユニットおよびストレージユニットを含む。処理ユニットは、第２の態様によるユーザ機器の処理動作を実行するように構成されている。通信ユニットは、第２の態様によるユーザ機器の送信および受信動作を実行するように構成されている。ストレージユニットは、ユーザ機器のプログラムコードおよびデータを格納するように構成されている。
【００７７】
第１１の態様によると、本願の一実施形態は、アクセスおよびモビリティ管理機能エンティティを提供する。アクセスおよびモビリティ管理機能エンティティ並びに第７の態様において提供されるアクセスおよびモビリティ管理機能エンティティは、同一の機能エンティティであってよい。アクセスおよびモビリティ管理機能エンティティは、通信ユニット、処理ユニットおよびストレージユニットを含む。処理ユニットは、第３の態様によるアクセスおよびモビリティ管理機能エンティティの処理動作を実行するように構成されている。通信ユニットは、第３の態様によるアクセスおよびモビリティ管理機能エンティティの送信および受信動作を実行するように構成されている。ストレージユニットは、アクセスおよびモビリティ管理機能エンティティのプログラムコードおよびデータを格納するように構成されている。
【００７８】
第１２の態様によると、本願の一実施形態は、ユーザ機器を提供する。ユーザ機器および第８の態様において提供されるユーザ機器は、同一のデバイスであってよい。ユーザ機器は、通信ユニット、処理ユニットおよびストレージユニットを含む。処理ユニットは、第４の態様によるユーザ機器の処理動作を実行するように構成されている。通信ユニットは、第４の態様によるユーザ機器の送信および受信動作を実行するように構成されている。ストレージユニットは、ユーザ機器のプログラムコードおよびデータを格納するように構成されている。
【００７９】
第１３の態様によると、コンピュータ可読記憶媒体が提供される。コンピュータ可読記憶媒体は、上述のアクセスおよびモビリティ管理機能エンティティによって用いられるコンピュータソフトウェア命令を格納する。プログラムコードは、上述の態様のいずれかによる方法を実行するために用いられる命令を含む。
【００８０】
第１４の態様によると、コンピュータ可読記憶媒体が提供される。コンピュータ可読記憶媒体は、上述のユーザ機器によって用いられるコンピュータソフトウェア命令を格納する。プログラムコードは、上述の態様のいずれかによる方法を実行するために用いられる命令を含む。
【００８１】
第１５の態様によると、本願は、さらに、命令を含むコンピュータプログラムプロダクトを提供する。コンピュータ上で実行されると、コンピュータプログラムプロダクトは、コンピュータに、上述の態様による方法を実行させる。
【００８２】
第１６の態様によると、本願は、さらに、システムを提供する。システムは、上述のアクセスおよびモビリティ管理機能エンティティ並びにセッション管理機能エンティティを含む。可能な実装において、システムは、さらに、ユーザプレーン機能エンティティを含んでよい。可能な実装において、システムは、さらに、ユーザ機器等を含んでよい。
【図面の簡単な説明】
【００８３】
【図１】本願の一実施形態による５Ｇネットワークアーキテクチャの概略図である。
【００８４】
【図２】本願の一実施形態による第１の接続再アクティブ化方法の概略フローチャートである。
【００８５】
【図３】本願の一実施形態による第２の接続再アクティブ化方法の概略フローチャートである。
【００８６】
【図４】本願の一実施形態による第３の接続再アクティブ化方法の概略フローチャートである。
【００８７】
【図５】本願の一実施形態による第４の接続再アクティブ化方法の概略フローチャートである。
【００８８】
【図６】本願の一実施形態による第５の接続再アクティブ化方法の概略フローチャートである。
【００８９】
【図７】本願の一実施形態による第６の接続再アクティブ化方法の概略フローチャートである。
【００９０】
【図８】本願の一実施形態による第７の接続再アクティブ化方法の概略フローチャートである。
【００９１】
【図９】本願の一実施形態による第８の接続再アクティブ化方法の概略フローチャートである。
【００９２】
【図１０】本願の一実施形態による第９の接続再アクティブ化方法の概略フローチャートである。
【００９３】
【図１１】本願の一実施形態による第１のアクセスおよびモビリティ管理機能エンティティの概略構造図である。
【００９４】
【図１２】本願の一実施形態による第２のアクセスおよびモビリティ管理機能エンティティの概略構造図である。
【００９５】
【図１３】本願の一実施形態による第１のユーザ機器の概略構造図である。
【００９６】
【図１４】本願の一実施形態による第２のユーザ機器の概略構造図である。
【００９７】
【図１５】本願の一実施形態による第３のアクセスおよびモビリティ管理機能エンティティの概略構造図である。
【００９８】
【図１６】本願の一実施形態による第４のアクセスおよびモビリティ管理機能エンティティの概略構造図である。
【００９９】
【図１７】本願の一実施形態による第３のユーザ機器の概略構造図である。
【０１００】
【図１８】本願の一実施形態による第４のユーザ機器の概略構造図である。
【発明を実施するための形態】
【０１０１】
無線ブロードバンド技術の課題に直面し、３ＧＰＰネットワークの首位を維持すべく、３ＧＰＰ標準化グループは、２０１６年末までに、５Ｇネットワークアーキテクチャと称される次世代モバイル通信ネットワークアーキテクチャ（Next Generation System）を策定した。当該アーキテクチャは、３ＧＰＰ標準化グループが定義した無線技術を用いての５Ｇコアネットワーク（5G Core network）へのアクセスをサポートするだけでなく、Ｎ３ＧＰＰアクセス技術を用いての５Ｇコアネットワークへのアクセスもサポートする。例えば、Ｎ３ＧＰＰアクセス技術を用いての５Ｇコアネットワークへのアクセスには、Ｎ３ＧＰＰ相互接続機能エンティティ（N3GPP Interworking Function, N3IWF）、次世代パケットデータゲートウェイ（next Generation packet data Gateway, ngPDG）、Ｎ３ＧＰＰアクセスネットワークデバイスまたはＮ３ＧＰＰアクセスゲートウェイを用いての５Ｇコアネットワークへのアクセスが挙げられる。５Ｇネットワークアーキテクチャは、図１に示されるものであってよい。図１中、コアネットワークは、ユーザプレーン機能エンティティ（User Plane Function, UPF）、アクセスおよびモビリティ管理機能エンティティ（Core Access and Mobility Management Function, AMF）およびセッション管理機能エンティティ（Session Management Function, SMF）を含む。ＡＭＦおよびＳＭＦが、制御プレーン機能エンティティ（Control Plane Function, CPF）を形成する。ＵＰＦは主に、データパケット転送、サービス品質（Quality of Service, QoS）制御、課金情報統計等を担当する。ＣＰＦは主に、ユーザ登録認証、モビリティ管理およびデータパケット転送ポリシー、制御ポリシー等のＵＰＦへの配信を担当する。具体的には、ＡＭＦは、ユーザアクセス中の登録プロシージャおよびユーザ移動プロセスにおける位置管理を担当する。ＳＭＦは、ユーザのサービス開始時におけるネットワーク側での対応するセッション接続の確立、およびユーザへの特定のサービスの提供、特にＳＭＦとＵＰＦ間のＮＧ４インタフェースに基づく、データパケット転送ポリシー、ＱｏＳポリシー等のＵＰＦへの配信を担当する。
【０１０２】
図１中のＮ３ＩＷＦは、１つのタイプのＮ３ＧＰＰアクセスゲートウェイであることに留意されたい。本願において、Ｎ３ＧＰＰアクセスゲートウェイの名称は限定されず、Ｎ３ＩＷＦ、ｎｇＰＤＧ、Ｎ３ＧＰＰアクセスネットワークデバイス、Ｎ３ＧＰＰアクセスゲートウェイ等であってよい。
【０１０３】
本願の実施形態において、制御プレーン機能エンティティ、ユーザプレーン機能エンティティ、アクセスおよびモビリティ管理機能エンティティおよびセッション管理機能エンティティはそれぞれ、名称に過ぎず、当該名称によりデバイスに限定を課すものではないことに留意されたい。将来の５Ｇネットワークおよび別の将来のネットワークにおいては、制御プレーン機能エンティティ、ユーザプレーン機能エンティティ、アクセスおよびモビリティ管理機能エンティティおよびセッション管理機能エンティティに対応するネットワーク要素またはエンティティが、他の名称を有してもよい。本願の実施形態において、このことは具体的に限定されない。例えば、制御プレーン機能エンティティは、さらに、制御プレーン機能またはＣＰと置換されてよく、ユーザプレーン機能エンティティは、さらに、ユーザプレーン機能またはＵＰと置換されてよい。本明細書において、詳細は集合的に記載されており、さらに詳しく後述することはしない。
【０１０４】
本願の実施形態における機能に加え、制御プレーン機能エンティティ、ユーザプレーン機能エンティティ、アクセスおよびモビリティ管理機能エンティティ、セッション管理機能エンティティ等は、さらに他の機能も有してよいことに、さらに留意されたい。本願の実施形態において、このことは具体的に限定されない。また、制御プレーン機能エンティティ、ユーザプレーン機能エンティティ、アクセスおよびモビリティ管理機能エンティティ、セッション管理機能エンティティ等は、１つの物理デバイスによって実装されてよく、または、複数の物理デバイスが一緒になって実装されてよい。本願の実施形態において、このことは具体的に限定されない。換言すると、本願の実施形態において、制御プレーン機能エンティティ、ユーザプレーン機能エンティティ、アクセスおよびモビリティ管理機能エンティティ、セッション管理機能エンティティ等は、それぞれ、ある物理デバイス内の論理機能モジュールであってよく、または、複数の物理デバイスを含む論理機能モジュールであってよいことを理解されたい。本願の実施形態において、このことは具体的に限定されない。
【０１０５】
ユーザ機器がＮ３ＧＰＰアクセスネットワークを用いて５Ｇコアネットワークにアクセスした場合に、アイドル状態にあるユーザ機器に配信されるべきダウンリンクデータが、Ｎ３ＧＰＰ側で確立されたＰＤＵセッションで受信されると、既存の５Ｇネットワークには、ユーザ機器がアイドル状態から接続状態へ切り替わる方法を規定するソリューションが存在しないため、ユーザ機器は、ページングを受けることができない。その結果、ダウンリンクデータの送信エラーが発生する。
【０１０６】
本願の実施形態は、接続再アクティブ化方法、制御プレーン機能エンティティおよびユーザ機器を提供し、ユーザ機器がＮ３ＧＰＰアクセスネットワークを用いて、５Ｇコアネットワークにアクセスし、ユーザ機器がアイドル状態にあるときに、ユーザ機器をアイドル状態から接続状態へ切り替えることを可能にする接続再アクティブ化ソリューションを提供し、これにより、ダウンリンクデータの送信の成功を保証する。
【０１０７】
本願で提供される接続再アクティブ化方法について、以下の２つの実施形態を用いて詳しく説明する。
［実施形態１］
【０１０８】
図２に示される通り、図２は、本願の実施形態で提供される接続再アクティブ化方法を示す。方法は、以下の段階を含む。
【０１０９】
Ｓ２０１．アクセスおよびモビリティ管理機能エンティティは、セッション管理機能エンティティによって送信された第１のメッセージを受信する。
【０１１０】
第１のメッセージは、Ｎ３ＧＰＰ側でユーザ機器によって確立されたＰＤＵセッションの接続を再アクティブ化するよう命令するために用いられる第１の再アクティブ化指標を保持する。ユーザ機器は、Ｎ３ＧＰＰ側でアイドル状態にある。第１の再アクティブ化指標は、ＰＤＵセッションのセッション識別子（以下、ＰＤＵセッション識別子と簡略化して称する）であってよい。
【０１１１】
ＰＤＵセッションは、ユーザ機器がＮ３ＧＰＰ側で接続状態からアイドル状態へ切り替わる前に確立されたＰＤＵセッションであることに留意されたい。
【０１１２】
本願では、ユーザプレーン機能エンティティが上述のＰＤＵセッションで、ユーザ機器に配信されるべきダウンリンクデータを受信した場合、ＰＤＵセッションのユーザプレーン接続は非アクティブ化されているので、ユーザプレーン機能エンティティは、ダウンリンクデータをユーザ機器に配信不能である。この場合、ユーザプレーン機能エンティティは、ダウンリンクデータ通知（Downlink Data Notification, DDN）メッセージをセッション管理機能エンティティに送信してよい。ＤＤＮメッセージを受信した後、セッション管理機能エンティティは、ユーザ機器に対し、ＰＤＵセッションの接続を再アクティブ化するよう命令するための第１のメッセージをアクセスおよびモビリティ管理機能エンティティに送信してよい。
【０１１３】
Ｓ２０２．アクセスおよびモビリティ管理機能エンティティは、第１の再アクティブ化指標を格納する。
【０１１４】
ＰＤＵセッションの接続の再アクティブ化とは、ＰＤＵセッションのユーザプレーン接続を確立またはアクティブ化することを意味する。
【０１１５】
Ｓ２０３．ユーザ機器は、Ｎ３ＧＰＰアクセスネットワークを用いて、第２のメッセージをアクセスおよびモビリティ管理機能エンティティに送信する。
【０１１６】
第２のメッセージは、周期的登録要求または第１のサービス要求である。
【０１１７】
ユーザ機器がコアネットワークに登録済みであり、アイドル状態にある場合に、ユーザ機器がコアネットワークへの接続を再アクティブ化する必要があると（例えば、ユーザ機器の周期的タイマがタイムアウトした場合）、ユーザ機器は、登録要求を開始し、登録タイプを周期的登録として設定してよいことに留意されたい。
【０１１８】
ユーザ機器が上述のＰＤＵセッションではない別のＰＤＵセッションでアップリンクデータを送信する必要がある場合、ユーザ機器は、第１のサービス要求を送信してよい。
【０１１９】
また、ユーザ機器が上述のＰＤＵセッションでアップリンクデータを送信する必要がある場合、ユーザ機器は、また第１のサービス要求を開始してもよい。この場合は、ユーザ機器は自発的にＰＤＵセッションの接続を再アクティブ化し、アクセスおよびモビリティ管理機能エンティティは、Ｓ２０２で格納された接続再アクティブ化指標を削除する。また、以下の段階Ｓ２０４および段階Ｓ２０５は、もはや実行される必要がない。
【０１２０】
Ｓ２０４．アクセスおよびモビリティ管理機能エンティティは、第１の再アクティブ化指標に基づき、Ｎ３ＧＰＰアクセスネットワークを用いて、第３のメッセージをユーザ機器に送信する。
【０１２１】
第３のメッセージは、接続再アクティブ化指標を保持する。第２のメッセージが周期的登録要求メッセージである場合、第３のメッセージは、周期的登録応答メッセージである。第２のメッセージが第２のＰＤＵセッションのサービス要求メッセージである場合、第３のメッセージは、第２のＰＤＵセッションのサービス要求応答メッセージである。
【０１２２】
接続再アクティブ化指標は、ＰＤＵセッション識別子、ＰＤＵセッションに関連付けられた無線アクセス技術タイプ、およびＰＤＵセッションに関連付けられたアクセスネットワーク識別子のうちの１または複数を含む。
【０１２３】
図２に示される方法においては、第１の再アクティブ化指標は第１のメッセージに保持されており、第１の再アクティブ化指標は、ＰＤＵセッション識別子であってよいことに留意されたい。接続再アクティブ化指標は、第３のメッセージに保持されており、接続再アクティブ化指標は、ＰＤＵセッション識別子、ＰＤＵセッションに関連付けられた無線アクセス技術タイプ、およびＰＤＵセッションに関連付けられたアクセスネットワーク識別子のうちの１または複数であってよい。すなわち、第１の再アクティブ化指標を格納した後、アクセスおよびモビリティ管理機能エンティティは、解析を通して、ＰＤＵセッションに関連付けられた無線アクセス技術タイプまたはアクセスネットワーク識別子を取得してよく、または、セッション管理機能エンティティによって送信されたメッセージを受信することで、ＰＤＵセッションに関連付けられた無線アクセス技術タイプまたはアクセスネットワーク識別子を認識してよい。随意で、アクセスおよびモビリティ管理機能エンティティは、ユーザ機器に対し、ＰＤＵセッションの接続を再アクティブ化するよう命令するための第３のメッセージをユーザ機器に送信するとき、ＰＤＵセッション識別子、ＰＤＵセッションに関連付けられた無線アクセス技術タイプ、およびＰＤＵセッションに関連付けられたアクセスネットワーク識別子のうちの１または複数を、第３のメッセージに追加する。
【０１２４】
本願において、第１のメッセージを受信した後、アクセスおよびモビリティ管理機能エンティティは、データキャッシュタイマを取得してよい。データキャッシュタイマは、セッション管理機能エンティティによって構成された後に、アクセスおよびモビリティ管理機能エンティティに送信されてよい、データキャッシュタイマは、アクセスおよびモビリティ管理機能エンティティによって構成されてよい、データキャッシュタイマは、アクセスおよびモビリティ管理機能エンティティにおいて事前構成等されてもよい。
【０１２５】
データキャッシュタイマがタイムアウトしており、アクセスおよびモビリティ管理機能エンティティが第１の再アクティブ化指標を削除し、アクセスおよびモビリティ管理機能エンティティが第２のメッセージを受信した場合は、アクセスおよびモビリティ管理機能エンティティによってユーザ機器に送信された第３のメッセージは、接続再アクティブ化指標を保持する必要がない。アクセスおよびモビリティ管理機能エンティティが第２のメッセージを受信したとき、データキャッシュタイマがタイムアウトしていない場合は、アクセスおよびモビリティ管理機能エンティティによってユーザ機器に送信された第３のメッセージは、ユーザ機器に対し、ＰＤＵセッションの再アクティブ化のための第２のサービス要求を開始し、配信されたダウンリンクデータを受信するように命令するための接続再アクティブ化指標を保持する。
【０１２６】
随意で、アクセスおよびモビリティ管理機能エンティティはまた、セッション管理機能エンティティを用いて、データキャッシュタイマをユーザプレーン機能エンティティに送信してもよい。この場合、データキャッシュタイマは、ユーザプレーン機能エンティティが、ダウンリンクデータをキャッシュする期間を示すために用いられてよい。すなわち、データキャッシュタイマがタイムアウトすると、ユーザプレーン機能エンティティは、ＰＤＵセッション内で、ユーザ機器に配信されるべきダウンリンクデータを破棄する。
【０１２７】
Ｓ２０５．ユーザ機器は、Ｎ３ＧＰＰアクセスネットワークを用いて、第２のサービス要求を開始する。
【０１２８】
第２のサービス要求は、ＰＤＵセッションの接続の再アクティブ化を要求するために用いられる。Ｎ３ＧＰＰアクセスネットワークを用いて第２のサービス要求を開始した後、ユーザ機器は、アイドル状態から接続状態へ切り替わり、配信されたダウンリンクデータを受信してよい。
【０１２９】
例えば、第３のメッセージに保持される接続再アクティブ化指標は、ＰＤＵセッション識別子およびＰＤＵセッションに関連付けられた無線アクセス技術タイプを含む。接続再アクティブ化指標に含まれるＰＤＵセッションに関連付けられた無線アクセス技術タイプを受信した後、ユーザ機器は、Ｎ３ＧＰＰアクセスネットワークを用いて第２のサービス要求を開始する。
【０１３０】
例えば、第３のメッセージに保持される接続再アクティブ化指標は、ＰＤＵセッション識別子およびＰＤＵセッションに関連付けられたアクセスネットワーク識別子を含む。接続再アクティブ化指標に含まれるＰＤＵセッションに関連付けられたアクセスネットワーク識別子を受信した後、ユーザ機器は、Ｎ３ＧＰＰアクセスネットワークを用いて第２のサービス要求を開始し、ＰＤＵセッションのアクセスネットワークは、Ｎ３ＧＰＰアクセスネットワークである。
【０１３１】
別の例では、第３のメッセージに保持される接続再アクティブ化指標は、ＰＤＵセッション識別子を含む。接続再アクティブ化指標に含まれるＰＤＵセッション識別子を受信した後、ユーザ機器は、第３のメッセージを受信した後で、Ｎ３ＧＰＰアクセスネットワークを用いて第２のサービス要求を開始してよい。
【０１３２】
また、ユーザ機器がＮ３ＧＰＰ側でアイドル状態にあるとき、アクセスおよびモビリティ管理機能エンティティは、セッション管理機能エンティティによって送信された第１のメッセージを受信した後に、第４のメッセージをセッション管理機能エンティティに送信して、第４のメッセージを用いて、ユーザ機器が到達不可能であることを示してもよい。この場合、第４のメッセージを受信した後、セッション管理機能エンティティは、ユーザプレーン機能エンティティに対し、ユーザ機器に配信されるべきダウンリンクデータを破棄するように命令してよい。
【０１３３】
具体的には、アクセスおよびモビリティ管理機能エンティティが第４のメッセージをセッション管理機能エンティティに送信する前に、アクセスおよびモビリティ管理機能エンティティは、ユーザ機器が次の周期的登録要求を開始する時点に基づき、第４のメッセージを送信するか否かを決定してよい。これは、図２に示される接続再アクティブ化方法は、ユーザ機器によって開始される周期的登録要求または第１のサービス要求に基づくためである。周期的登録要求メッセージの送信時点および送信頻度は、アクセスおよびモビリティ管理機能エンティティによって予測されてよい。第１のサービス要求の送信時点は、アクセスおよびモビリティ管理機能エンティティによって予測不可能であってよい。周期的登録要求プロセスのみが予測可能であることを考慮すると、ユーザ機器が次の周期的登録要求を開始する時点と、現在時刻との間の時間的距離が過度に長い場合、ユーザプレーン機能エンティティは、ユーザ機器に配信されるべきダウンリンクデータを継続的にキャッシュする必要がある。これがシステムオーバーヘッドを占め、ユーザプレーン機能エンティティの処理効率に影響を及ぼすことは間違いない。この場合、アクセスおよびモビリティ管理機能エンティティは、ユーザ機器が次の周期的登録要求を開始する時点に基づき、決定を行ってよい。ユーザ機器が次の周期的登録要求を開始する時点と、現在時刻との間の時間的距離が過度に長い場合、アクセスおよびモビリティ管理機能エンティティは、第４のメッセージをセッション管理機能エンティティに送信する。第４のメッセージを受信した後、セッション管理機能エンティティは、ユーザプレーン機能エンティティに対し、ユーザ機器に配信されるべきダウンリンクデータを破棄するよう命令し、これにより、ユーザプレーン機能エンティティのシステムオーバーヘッドを低減し、ユーザプレーン機能エンティティの処理効率を改善する。
【０１３４】
図２に示される接続再アクティブ化方法においては、ユーザ機器がアイドル状態にあるとき、アクセスおよびモビリティ管理機能エンティティは、セッション管理機能エンティティによって送信された第１のメッセージを受信した後、第１の再アクティブ化指標を格納し、ユーザ機器が周期的登録要求または第１のサービス要求を開始した後、第１の再アクティブ化指標に基づき、第３のメッセージをユーザ機器に送信し、ユーザ機器に対し、Ｎ３ＧＰＰ側でユーザ機器によって確立されたＰＤＵセッションの接続を再アクティブ化するよう命令するための接続再アクティブ化指標を第３のメッセージに追加する。従って、図２に示される接続再アクティブ化方法によると、ユーザ機器がＮ３ＧＰＰアクセスネットワークのみを用いてコアネットワークにアクセスし、ユーザ機器がアイドル状態にあるとき、ユーザ機器をアイドル状態から接続状態に切り替えることを可能にする接続再アクティブ化ソリューションが提供されてよく、その結果、ユーザ機器は、ＰＤＵセッションの接続を再アクティブ化できる。
【０１３５】
図２に示される接続再アクティブ化方法に基づき、本願のこの実施形態は、さらに、接続再アクティブ化方法を提供する。方法は、図３に示される。図３に示される接続再アクティブ化方法は、図２に示される接続再アクティブ化方法の特定の例としてみなされてよい。図３に示される方法において図示されておらず、詳しく説明されていない実装については、図２に示される方法の関連説明を参照されたい。図３に示される通り、方法、以下の段階を含む。
【０１３６】
１．ＵＰＦは、Ｎ３ＧＰＰ側で確立されたＰＤＵセッション内で、ユーザ機器に配信されるべきダウンリンクデータを受信する。
【０１３７】
２ａ．ＵＰＦは、ダウンリンクデータ通知メッセージをＳＭＦに送信する。
【０１３８】
ダウンリンクデータ通知メッセージは、ＵＰＦがＮ３ＧＰＰ側で確立されたＰＤＵセッション内でＵＥに配信されるべきダウンリンクデータを受信したことを示すために用いられる。ダウンリンクデータ通知メッセージは、ＰＤＵセッション識別子を保持し、ＵＥは、Ｎ３ＧＰＰ側でアイドル状態にある。
【０１３９】
２ｂ．ＳＭＦは、ダウンリンクデータ通知メッセージを受信した後、ダウンリンクデータ通知メッセージ確認応答メッセージをＵＰＦに送信し、ＳＭＦがＵＰＦによって送信されたダウンリンクデータ通知メッセージを受信したことを示す。
【０１４０】
３ａ．ＳＭＦは、Ｎ１１メッセージをＡＭＦに送信する。
【０１４１】
Ｎ１１メッセージは、図２に示された方法における第１のメッセージの一例としてみなされてよく、Ｎ１１メッセージはＰＤＵセッション識別子を保持する。
【０１４２】
３ｂ．ＡＭＦは、Ｎ１１メッセージ確認応答メッセージをＳＭＦに送信し、ＡＭＦがＳＭＦによって送信されたＮ１１メッセージを受信したことを示す。
【０１４３】
４．ＡＭＦは、ＰＤＵセッション識別子を格納する。
【０１４４】
図３に示された接続再アクティブ化方法においては、データキャッシュタイマは、ＡＭＦまたはＳＭＦによって構成されてよい。データキャッシュタイマがＡＭＦによって構成される場合、ＡＭＦは、段階３ｂで送信されたＮ１１メッセージ確認応答メッセージにデータキャッシュタイマを追加することで、データキャッシュタイマをＳＭＦに送信し、ＳＭＦは、データキャッシュタイマをＵＰＦに送信する。データキャッシュタイマがＳＭＦによって構成される場合、ＳＭＦは、段階２ｂで送信されたダウンリンクデータ通知メッセージ確認応答メッセージにデータキャッシュタイマを追加することで、データキャッシュタイマをＵＰＦに送信し、ＳＭＦは、データキャッシュタイマをＡＭＦに送信する。
【０１４５】
５．ＵＥは、Ｎ３ＩＷＦを用いて、周期的登録要求または第１のサービス要求を開始する。
【０１４６】
ＵＥが、Ｎ３ＩＷＦを用いて周期的登録要求または第１のサービス要求を開始することは、ＵＥが、Ｎ３ＧＰＰアクセスネットワークを用いて、周期的登録要求または第１のサービス要求を開始することを意味する。
【０１４７】
ユーザ機器が、Ｎ３ＧＰＰ側で確立されたＰＤＵセッション内でアップリンクデータを送信する必要があるとき、ユーザ機器によって、第１のサービス要求メッセージがアクセスおよびモビリティ管理機能エンティティに送信される。
【０１４８】
６．データキャッシュタイマがタイムアウトする前に、ＡＭＦは、Ｎ３ＩＷＦを用いて応答メッセージをＵＥに送信し、応答メッセージは、接続再アクティブ化指標を保持する。
【０１４９】
接続再アクティブ化指標は、ＰＤＵセッション識別子、ＰＤＵセッションに関連付けられた無線アクセス技術タイプ、およびＰＤＵセッションに関連付けられたアクセスネットワーク識別子のうちの１または複数を含んでよい。
【０１５０】
応答メッセージは、図２に示される方法の第３のメッセージの一例とみなされてよい。応答メッセージは、ユーザ機器の第２のＰＤＵセッションの周期的登録要求またはサービス要求に応答するために用いられる。
【０１５１】
ＡＭＦが、Ｎ３ＩＷＦを用いて応答メッセージをＵＥに送信することは、ＡＭＦが、Ｎ３ＧＰＰアクセスネットワークを用いて応答メッセージをＵＥに送信することを意味する。
【０１５２】
７．接続再アクティブ化指標を含む、ＡＭＦによって送信された応答メッセージを受信した後、ＵＥは、ＵＥに配信されるべきダウンリンクデータを受信すべく、Ｎ３ＩＷＦを用いて第２のサービス要求を開始し、および、ＰＤＵセッションのユーザプレーン接続を確立またはアクティブ化する。
【０１５３】
ＵＥが、Ｎ３ＩＷＦを用いて第２のサービス要求を開始することは、ＵＥが、Ｎ３ＧＰＰアクセスネットワークを用いて第２のサービス要求を開始することを意味する。
［実施形態２］
【０１５４】
図４に示される通り、図４は、本願の実施形態で提供される接続再アクティブ化方法を示す。方法は、以下の段階を含む。
【０１５５】
Ｓ４０１．アクセスおよびモビリティ管理機能エンティティは、セッション管理機能エンティティによって送信された第１のメッセージを受信する。
【０１５６】
第１のメッセージは、Ｎ３ＧＰＰ側でユーザ機器によって確立されたＰＤＵセッションの接続を再アクティブ化するよう命令するために用いられる第１の再アクティブ化指標を保持する。第１の再アクティブ化指標は、ＰＤＵセッションのセッション識別子（以下、ＰＤＵセッション識別子と簡略化して称する）であってよい。
【０１５７】
ＰＤＵセッションは、ユーザ機器が、Ｎ３ＧＰＰ側で接続状態からアイドル状態へ切り替わる前に確立されたＰＤＵセッションであることに留意されたい。
【０１５８】
本願では、ユーザプレーン機能エンティティが上述のＰＤＵセッションで、ユーザ機器に配信されるべきダウンリンクデータを受信した場合、ＰＤＵセッションのユーザプレーン接続は非アクティブ化されているので、ユーザプレーン機能エンティティは、ダウンリンクデータをユーザ機器に配信不能である。この場合、ユーザプレーン機能エンティティは、ダウンリンクデータ通知（Downlink Data Notification, DDN）メッセージをセッション管理機能エンティティに送信してよい。ＤＤＮメッセージを受信した後、セッション管理機能エンティティは、ユーザ機器に対し、ＰＤＵセッションの接続を再アクティブ化するよう命令するための第１のメッセージをアクセスおよびモビリティ管理機能エンティティに送信してよい。
【０１５９】
Ｓ４０２．アクセスおよびモビリティ管理機能エンティティは、第１の再アクティブ化指標に基づき、３ＧＰＰアクセスネットワークを用いて、第２のメッセージをユーザ機器に送信する。
【０１６０】
ユーザ機器は、Ｎ３ＧＰＰ側でアイドル状態にあり、第２のメッセージは、ユーザ機器に対し、ＰＤＵセッションの接続を再アクティブ化するよう命令するために用いられる。
【０１６１】
ＰＤＵセッションの接続の再アクティブ化とは、ＰＤＵセッションのユーザプレーン接続を確立またはアクティブ化することを意味する。
【０１６２】
制御プレーン機能エンティティが、第１の再アクティブ化指標に基づき、３ＧＰＰアクセスネットワークを用いて第２のメッセージをユーザ機器に送信することは、具体的には、以下のように実装されてよい。すなわち、ユーザ機器が３ＧＰＰ側で接続状態にあると決定すると、アクセスおよびモビリティ管理機能エンティティは、第１の再アクティブ化指標に基づき、３ＧＰＰアクセスネットワークを用いて通知メッセージをユーザ機器に送信する。通知メッセージは、接続再アクティブ化指標を保持し、接続再アクティブ化指標は、ユーザ機器に対し、ＰＤＵセッションの接続を再アクティブ化するよう命令するために用いられる。代替的に、ユーザ機器が３ＧＰＰ側でアイドル状態にあると決定すると、アクセスおよびモビリティ管理機能エンティティは、第１の再アクティブ化指標に基づき、３ＧＰＰアクセスネットワークを用いて、ページングメッセージをユーザ機器に送信する。ページングメッセージは、接続再アクティブ化指標を保持し、接続再アクティブ化指標は、ユーザ機器に対し、ＰＤＵセッションの接続を再アクティブ化するよう命令するために用いられる。
【０１６３】
ユーザ機器が３ＧＰＰ側で接続状態にあるとき、制御プレーン機能エンティティは、通知メッセージを用いて、接続再アクティブ化指標をユーザ機器に送信してよい。ユーザ機器が３ＧＰＰ側でアイドル状態にあるとき、アクセスおよびモビリティ管理機能エンティティが、通知メッセージをユーザ機器に直接送信することは困難である。その結果、アクセスおよびモビリティ管理機能エンティティは、ページングメッセージを用いて、接続再アクティブ化指標をユーザ機器に送信する必要がある。
【０１６４】
接続再アクティブ化指標は、ＰＤＵセッション識別子、ＰＤＵセッションの無線アクセス技術タイプ（Radio Access Technology type, RAT type）、およびＰＤＵセッションに関連付けられたアクセスネットワーク識別子のうちの１または複数を含んでよい。
【０１６５】
図４に示される方法においては、第１の再アクティブ化指標は第１のメッセージに保持されており、第１の再アクティブ化指標は、ＰＤＵセッション識別子であってよいことに留意されたい。接続再アクティブ化指標は、第２のメッセージに保持されており、接続再アクティブ化指標は、ＰＤＵセッション識別子、ＰＤＵセッションに関連付けられた無線アクセス技術タイプ、およびＰＤＵセッションに関連付けられたアクセスネットワーク識別子のうちの１または複数であってよい。換言すると、随意で、アクセスおよびモビリティ管理機能エンティティは、ユーザ機器に対し、ＰＤＵセッションの接続を再アクティブ化するよう命令するための第２のメッセージをユーザ機器に送信するとき、ＰＤＵセッション識別子、ＰＤＵセッションに関連付けられた無線アクセス技術タイプ、およびＰＤＵセッションに関連付けられたアクセスネットワーク識別子のうちの１または複数を、第２のメッセージに追加する。ユーザ機器は、接続再アクティブ化指標に含まれるコンテンツ、アクセスおよびモビリティ管理機能エンティティの指標、またはユーザ機器のストレージポリシー、ユーザ機器に格納されたコンテキスト等に基づき、Ｎ３ＧＰＰアクセスネットワークまたは３ＧＰＰアクセスネットワークを用いて、ＰＤＵセッションの接続を再アクティブ化するか否かを決定してよい。
【０１６６】
Ｓ４０３．ユーザ機器は、サービス要求を開始し、サービス要求は、ＰＤＵセッションの接続の再アクティブ化を要求するために用いられる。
【０１６７】
図４に示される接続再アクティブ化方法においては、ユーザ機器がアイドル状態にある場合、第１の再アクティブ化指標を保持し、且つ、セッション管理機能エンティティによって配信される第１のメッセージを受信した後、アクセスおよびモビリティ管理機能エンティティは、第２のメッセージを用いて、ユーザ機器に対し、Ｎ３ＧＰＰ側で確立されたＰＤＵセッションの接続を再アクティブ化するよう命令すべく、第１の再アクティブ化指標に基づき、３ＧＰＰアクセスネットワークを用いて、第２のメッセージをユーザ機器に送信する。第２のメッセージを受信した後、ユーザ機器は、Ｎ３ＧＰＰ側で確立されたＰＤＵセッションの接続を再アクティブ化すべく、第２のメッセージに基づき、サービス要求を開始してよい。図４に示される方法においては、ユーザ機器は３ＧＰＰアクセスネットワークを用いてコアネットワークにアクセスしているので、アクセスおよびモビリティ管理機能エンティティは、ユーザ機器に対し、Ｎ３ＧＰＰ側で確立されたＰＤＵセッションの接続を再アクティブ化するよう命令すべく、３ＧＰＰアクセスネットワークを用いて、第２のメッセージをユーザ機器に送信する。図４に示される方法によると、ユーザ機器が、３ＧＰＰアクセスネットワークおよびＮ３ＧＰＰアクセスネットワークの両方を用いてコアネットワークにアクセスし、ユーザ機器がＮ３ＧＰＰ側でアイドル状態にあるとき、Ｎ３ＧＰＰ側でユーザ機器をアイドル状態から接続状態へ切り替えることを可能にする接続再アクティブ化ソリューションが提供可能であり、その結果、ユーザ機器は、Ｎ３ＧＰＰ側で確立されたＰＤＵセッションの接続を再アクティブ化でき、これにより、Ｎ３ＧＰＰ側でのダウンリンクデータの送信の成功を保証する。
【０１６８】
アクセスおよびモビリティ管理機能エンティティは、アクセスおよびモビリティ管理機能エンティティによってユーザ機器に送信された第２のメッセージを用いて、ユーザ機器に対し、Ｎ３ＧＰＰアクセスネットワークまたは３ＧＰＰアクセスネットワークを用いて、ＰＤＵセッションの接続を再アクティブ化するよう命令してよい。代替的に、アクセスおよびモビリティ管理機能エンティティは、第２のメッセージにおいて、ユーザ機器がＰＤＵセッションの接続の再アクティブ化に用いるアクセスネットワークを示さない。代わりに、ユーザ機器は、ＰＤＵセッションの接続の再アクティブ化に用いるアクセスネットワークを決定する、従って、上述の３つのシナリオにおいては、実施形態２は、実施形態Ａ、実施形態Ｂおよび実施形態Ｃの３つの実装を有してよい。
【０１６９】
［実施形態Ａ］
【０１７０】
図５に示される通り、図５は、本願で提供される接続再アクティブ化方法を示す。図５に示される方法は、図４に示される方法の一実装としてみなされてよい。図５に示される方法は、以下の段階を含む。
【０１７１】
Ｓ５０１．アクセスおよびモビリティ管理機能エンティティは、セッション管理機能エンティティによって送信された第１のメッセージを受信する。
【０１７２】
第１のメッセージは、Ｎ３ＧＰＰ側でユーザ機器によって確立されたＰＤＵセッションの接続を再アクティブ化するよう命令するために用いられる第１の再アクティブ化指標を保持する。詳細については、図４に示される方法の段階Ｓ４０１を参照されたい。
【０１７３】
ＰＤＵセッションは、ユーザ機器が、Ｎ３ＧＰＰ側で接続状態からアイドル状態に切り替わる前に確立されたＰＤＵセッションであることに留意されたい。第１の再アクティブ化指標は、ＰＤＵセッション識別子であってよい。
【０１７４】
Ｓ５０２．アクセスおよびモビリティ管理機能エンティティは、３ＧＰＰアクセスネットワークを用いて、第２のメッセージをユーザ機器に送信する。
【０１７５】
ユーザ機器はＮ３ＧＰＰ側でアイドル状態にあり、第２のメッセージは、ＰＤＵセッションに関連付けられた無線アクセス技術タイプ、ＰＤＵセッションに関連付けられたアクセスネットワーク識別子、およびＰＤＵセッション識別子のうちの１または複数を保持してよい。
【０１７６】
Ｓ５０３．ユーザ機器は、ＰＤＵセッションの接続の再アクティブ化を要求すべく、Ｎ３ＧＰＰアクセスネットワークを用いてサービス要求を開始する。
【０１７７】
上記の通り、アクセスおよびモビリティ管理機能エンティティによってユーザ機器に送信された第２のメッセージは、ユーザ機器に対し、ＰＤＵセッションの接続を再アクティブ化するよう命令するために用いられる接続再アクティブ化指標を保持してよい。接続再アクティブ化指標は、ＰＤＵセッション識別子、ＰＤＵセッションに関連付けられた無線アクセス技術タイプ、およびＰＤＵセッションに関連付けられたアクセスネットワーク識別子のうちの１または複数を含んでよい。
【０１７８】
Ｓ５０２において、第２のメッセージは、ＰＤＵセッションに関連付けられた無線アクセス技術タイプおよび／またはＰＤＵセッションに関連付けられたアクセスネットワーク識別子を保持し、並びに、随意でＰＤＵセッション識別子を保持する。
【０１７９】
第２のメッセージに保持される接続再アクティブ化指標が、ＰＤＵセッションに関連付けられた無線アクセス技術タイプまたはＰＤＵセッションに関連付けられたアクセスネットワーク識別子を含む場合、接続再アクティブ化指標は、アクセスおよびモビリティ管理機能エンティティによってユーザ機器に送信された第２のメッセージが、ユーザ機器に対し、Ｎ３ＧＰＰアクセスネットワークを用いてＰＤＵセッションの接続を再アクティブ化するよう命令するために用いられることを示してよい。
【０１８０】
例えば、接続再アクティブ化指標は、ＰＤＵセッション識別子およびＰＤＵセッションに関連付けられた無線アクセス技術タイプを含む。接続再アクティブ化指標に含まれるＰＤＵセッションに関連付けられた無線アクセス技術タイプを受信した後、ユーザ機器は、Ｎ３ＧＰＰアクセスネットワークを用いて、ＰＤＵセッションが再アクティブ化される必要があることを認識してよい。このように、ユーザ機器は、Ｎ３ＧＰＰアクセスネットワークを用いて、ＰＤＵセッションを再アクティブ化するためのサービス要求を開始する。
【０１８１】
別の例では、接続再アクティブ化指標は、ＰＤＵセッション識別子およびＰＤＵセッションに関連付けられたアクセスネットワーク識別子を含む。接続再アクティブ化指標に含まれるＰＤＵセッションに関連付けられたアクセスネットワーク識別子を受信した後、ユーザ機器は、Ｎ３ＧＰＰアクセスネットワークを用いて、ＰＤＵセッションが再アクティブ化される必要があることを認識してよい。このように、ユーザ機器は、Ｎ３ＧＰＰアクセスネットワークを用いて、ＰＤＵセッションを再アクティブ化するためのサービス要求を開始する。
【０１８２】
しかしながら、実施形態２は、さらに、別のケースを含む。接続再アクティブ化指標は、ＰＤＵセッション識別子を含む。このケースでは、第２のメッセージを受信した後、ユーザ機器は、接続再アクティブ化指標に含まれるＰＤＵセッション識別子およびユーザ機器に格納されたコンテキストに基づき、ＰＤＵセッションがＮ３ＧＰＰ側で前に確立されていることを決定し、その結果、Ｎ３ＧＰＰアクセスネットワークを用いて、ＰＤＵセッションを再アクティブ化するためのサービス要求を開始することを決定する必要がある。
【０１８３】
また、接続再アクティブ化指標がＰＤＵセッション識別子を含む場合、ユーザ機器はＳ５０３で、サービス要求を開始するとき、ＰＤＵセッション識別子をサービス要求に追加してよい。サービス要求が、ＰＤＵセッション識別子を保持しない場合、Ｎ３ＧＰＰ側でのすべてのＰＤＵセッションの接続が、再アクティブ化されるべきである。サービス要求がＰＤＵセッション識別子を保持する場合、そのＰＤＵセッションの接続のみが再アクティブ化されるべきである。
【０１８４】
図５中に示される接続再アクティブ化方法においては、ユーザ機器がアイドル状態にあるとき、第１の再アクティブ化指標を保持する、セッション管理機能エンティティによって送信された第１のメッセージを受信した後、アクセスおよびモビリティ管理機能エンティティは、ユーザ機器に対し、Ｎ３ＧＰＰ側で確立されたＰＤＵセッションの接続を、Ｎ３ＧＰＰアクセスネットワークを用いて再アクティブ化するよう命令すべく、第１の再アクティブ化指標に基づき、３ＧＰＰアクセスネットワークを用いて、第２のメッセージをユーザ機器に送信する。第２のメッセージを受信した後、ユーザ機器は、Ｎ３ＧＰＰ側でダウンリンクデータを受信すべく、Ｎ３ＧＰＰアクセスネットワークを用いてサービス要求を開始してよい。従って、図５に示される接続再アクティブ化方法によると、ユーザ機器が、３ＧＰＰアクセスネットワークおよびＮ３ＧＰＰアクセスネットワークの両方を用いてコアネットワークにアクセスし、ユーザ機器がＮ３ＧＰＰ側でアイドル状態にあるとき、Ｎ３ＧＰＰ側でユーザ機器をアイドル状態から接続状態へ切り替えることを可能にする接続再アクティブ化ソリューションが提供可能であり、その結果、ユーザ機器は、Ｎ３ＧＰＰ側で確立されたＰＤＵセッションの接続を再アクティブ化でき、これにより、Ｎ３ＧＰＰ側でのダウンリンクデータの送信の成功を保証する。
【０１８５】
また、図５に示される方法は、以下のシナリオに適用されてよい。すなわち、ユーザ機器が３ＧＰＰアクセスネットワークおよびＮ３ＧＰＰアクセスネットワークの両方を用いてコアネットワークにアクセスし、ユーザ機器がＮ３ＧＰＰ側で接続状態にあるが、ＰＤＵセッションのユーザプレーン接続が確立されていない場合にも、方法はアクセスおよびモビリティ管理機能エンティティによって用いられて、ユーザ機器に対し、Ｎ３ＧＰＰ側でＰＤＵセッションの接続を再アクティブ化するよう３ＧＰＰアクセスネットワークを用いて命令してよい。
【０１８６】
図５に示される接続再アクティブ化方法に基づき、本願のこの実施形態は、さらに、接続再アクティブ化方法を提供する。方法は、図６に示される。図６に示される接続再アクティブ化方法は、図５に示される接続再アクティブ化方法の特定の例としてみなされてよい。図６に示される方法において図示されておらず、詳しく説明されていない実装については、図５に示される方法の関連説明を参照されたい。図６に示される通り、方法、以下の段階を含む。
【０１８７】
１．ＵＰＦは、Ｎ３ＧＰＰ側で確立されたＰＤＵセッション内で、ＵＥに配信されるべきダウンリンクデータを受信する。
【０１８８】
ＵＥは、Ｎ３ＧＰＰ側でアイドル状態にある。
【０１８９】
２ａ．ＵＰＦは、ダウンリンクデータ通知メッセージをＳＭＦに送信する。
【０１９０】
ダウンリンクデータ通知メッセージは、ＵＰＦがＮ３ＧＰＰ側で確立されたＰＤＵセッション内でＵＥに配信されるべきダウンリンクデータを受信したことを示すために用いられる。ダウンリンクデータ通知メッセージは、ＰＤＵセッション識別子を保持する。
【０１９１】
２ｂ．ＳＭＦは、ダウンリンクデータ通知メッセージを受信した後、ダウンリンクデータ通知メッセージ確認応答メッセージをＵＰＦに送信し、ＳＭＦがＵＰＦによって送信されたダウンリンクデータ通知メッセージを受信したことを示す。
【０１９２】
３ａ．ＳＭＦは、Ｎ１１メッセージをＡＭＦに送信する。
【０１９３】
Ｎ１１メッセージは、図５に示された方法における第１のメッセージの特定の例であり、Ｎ１１メッセージはＰＤＵセッション識別子を保持する。
【０１９４】
３ｂ．ＡＭＦは、Ｎ１１メッセージ確認応答メッセージをＳＭＦに送信し、ＡＭＦがＳＭＦによって送信されたＮ１１メッセージを受信したことを示す。
【０１９５】
４．ＡＭＦは、ページングメッセージをＲＡＮ（Radio Access Network、無線アクセスネットワーク）に送信する。
【０１９６】
ページングメッセージは、接続再アクティブ化指標を保持し、接続再アクティブ化指標は、ユーザ機器に対し、Ｎ３ＧＰＰアクセスネットワークを用いて、ＰＤＵセッションの接続を再アクティブ化するよう命令するために用いられる。
【０１９７】
接続再アクティブ化指標は、ＰＤＵセッション識別子、ＰＤＵセッションに関連付けられた無線アクセス技術タイプ、およびＰＤＵセッションに関連付けられたアクセスネットワーク識別子のうちの１または複数を含んでよい。
【０１９８】
５．ＲＡＮは、ページングメッセージをＵＥに転送する。
【０１９９】
ＡＭＦが、ＲＡＮによる転送を通して、接続再アクティブ化指標をＵＥに送信する処理は、通知メッセージまたはページングメッセージを用いて実装されてよい。ＵＥが３ＧＰＰ側でアイドル状態にあるとき、ＡＭＦがＲＡＮによる転送を通して、接続再アクティブ化指標をＵＥに送信する処理は、ページングメッセージを用いて実装される。ＵＥが３ＧＰＰ側で接続状態にあるとき、ＡＭＦがＲＡＮによる転送を通して、接続再アクティブ化指標をＵＥに送信する処理は、通知メッセージを用いて実装される。図６における説明の一例として、ページングメッセージが用いられる。
【０２００】
６．ページングメッセージを受信した後、ＵＥは、Ｎ３ＩＷＦを用いて、および、ページングメッセージ内に保持された接続再アクティブ化指標の指標に基づき、ＰＤＵセッションを再アクティブ化するためのサービス要求を開始する。
【０２０１】
ＵＥが、Ｎ３ＩＷＦを用いて、ＰＤＵセッションを再アクティブ化するためのサービス要求を開始することは、ＵＥが、Ｎ３ＧＰＰアクセスネットワークを用いて、ＰＤＵセッションを再アクティブ化するためのサービス要求を開始することを意味する。
【０２０２】
７．ＵＰＦは、Ｎ３ＩＷＦを用いて、ダウンリンクデータをユーザ機器に送信する。
【０２０３】
［実施形態Ｂ］
【０２０４】
図７に示される通り、図７は、本願において提供される接続再アクティブ化方法を示す。図７に示される方法は、図４に示される方法の一実装としてみなされてよい。図７に示される方法は、以下の段階を含む。
【０２０５】
Ｓ７０１．アクセスおよびモビリティ管理機能エンティティは、セッション管理機能エンティティによって送信された第１のメッセージを受信する。
【０２０６】
第１のメッセージは、Ｎ３ＧＰＰ側でユーザ機器によって確立されたＰＤＵセッションの接続を再アクティブ化するよう命令するために用いられる第１の再アクティブ化指標を保持する。第１の再アクティブ化指標は、ＰＤＵセッション識別子であってよい。
【０２０７】
ＰＤＵセッションは、ユーザ機器が、Ｎ３ＧＰＰ側で接続状態からアイドル状態へ切り替わる前に確立されたＰＤＵセッションであることに留意されたい。
【０２０８】
Ｓ７０２．アクセスおよびモビリティ管理機能エンティティは、ＰＤＵセッションのコンテキストを３ＧＰＰ側に結合する。
【０２０９】
Ｓ７０３．アクセスおよびモビリティ管理機能エンティティは、３ＧＰＰアクセスネットワークを用いて、第２のメッセージをユーザ機器に送信する。
【０２１０】
ユーザ機器は、Ｎ３ＧＰＰ側でアイドル状態にある。第２のメッセージは、ユーザ機器がＰＤＵセッションをＮ３ＧＰＰ側から３ＧＰＰ側に切り替えた後、ユーザ機器に対し、３ＧＰＰアクセスネットワークを用いてＰＤＵセッションの接続を再アクティブ化するよう命令するために用いられる。
【０２１１】
Ｓ７０４．第２のメッセージを受信した後、ユーザ機器は、ＰＤＵセッションのコンテキストを３ＧＰＰ側に結合する。
【０２１２】
ユーザ機器およびアクセスおよびモビリティ管理機能エンティティの両方が、Ｎ３ＧＰＰ側で確立されたＰＤＵセッションのコンテキストを格納する。ＰＤＵセッションの接続が、３ＧＰＰアクセスネットワークを用いて再アクティブ化される必要がある場合、アクセスおよびモビリティ管理機能エンティティは、アクセスおよびモビリティ管理機能エンティティ内に格納されたＰＤＵセッションのコンテキストを３ＧＰＰ側に結合する必要があり、ユーザ機器もまた、ユーザ機器内に格納されたＰＤＵセッションのコンテキストを、３ＧＰＰ側に結合する必要がある。
【０２１３】
Ｓ７０５．ユーザ機器は、ＰＤＵセッションの接続の再アクティブ化を要求すべく、３ＧＰＰアクセスネットワークを用いてサービス要求を開始する。
【０２１４】
図７に示された接続再アクティブ化方法においては、制御プレーン機能エンティティは、第２のメッセージを送信する前に、Ｎ３ＧＰＰ側で確立されたＰＤＵセッションが、Ｎ３ＧＰＰ側から３ＧＰＰ側へ切り替わり得るか否かを示すために用いられるネットワークポリシーを取得してよい。ネットワークポリシーが、Ｎ３ＧＰＰ側で確立されたＰＤＵセッションが、Ｎ３ＧＰＰ側から３ＧＰＰ側へ切り替わり得ないことを示す場合、アクセスおよびモビリティ管理機能エンティティは、実施形態Ａの段階を参照して、ユーザ機器に対し、Ｎ３ＧＰＰアクセスネットワークを用いて、Ｎ３ＧＰＰ側で確立されたＰＤＵセッションの接続を再アクティブ化するよう命令すべく、第２のメッセージを送信してよい。ネットワークポリシーが、Ｎ３ＧＰＰ側で確立されたＰＤＵセッションが、Ｎ３ＧＰＰ側から３ＧＰＰ側へ切り替わり得ることを示す場合、段階Ｓ７０３から段階Ｓ７０５までが実行される。
【０２１５】
具体的には、アクセスおよびモビリティ管理機能エンティティによりネットワークポリシーを取得する方式は、限定ではないが、以下の２つの方式を含む。すなわち、アクセスおよびモビリティ管理機能エンティティは、ＰＤＵセッションの確立時に、ＵＤＭまたはＰＣＦからネットワークポリシーを取得する、または、アクセスおよびモビリティ管理機能エンティティは、第１のメッセージの受信時に、ＵＤＭまたはＰＣＦからネットワークポリシーを取得する。
【０２１６】
上記の通り、アクセスおよびモビリティ管理機能エンティティによってユーザ機器に送信された第２のメッセージは、接続再アクティブ化指標を保持してよい。接続再アクティブ化指標は、ＰＤＵセッション識別子、ＰＤＵセッションに関連付けられた無線アクセス技術タイプ、またはＰＤＵセッションに関連付けられたアクセスネットワーク識別子のうちの１または複数を含んでよい。また、接続再アクティブ化指標が、ＰＤＵセッション識別子を含む場合、ユーザ機器は、Ｓ７０５におけるサービス要求の開始時に、ＰＤＵセッション識別子をサービス要求に追加してよい。
【０２１７】
図７に示される方法においては、ＰＤＵセッションのコンテキストを３ＧＰＰ側に結合した後、アクセスおよびモビリティ管理機能エンティティは、第２のメッセージの指標を用いて、ユーザ機器に対し、ＰＤＵセッションのコンテキストを３ＧＰＰ側に結合し、および、ユーザ機器がアイドル状態に切り替わる前に、Ｎ３ＧＰＰ側で確立されたＰＤＵセッションの接続を、３ＧＰＰアクセスネットワークを用いて再アクティブ化するよう命令してよい。第２のメッセージを受信した後、ユーザ機器は、ＰＤＵセッションのコンテキストを３ＧＰＰ側に結合した後、３ＧＰＰアクセスネットワークを用いて、ＰＤＵセッションを再アクティブ化するためのサービス要求を開始し、これにより、ユーザ機器がアイドル状態に切り替わる前に、Ｎ３ＧＰＰ側で確立されたＰＤＵセッションの接続を再アクティブ化する。従って、図７に示される接続再アクティブ化方法によると、ユーザ機器が、３ＧＰＰアクセスネットワークおよびＮ３ＧＰＰアクセスネットワークの両方を用いてコアネットワークにアクセスし、ユーザ機器がＮ３ＧＰＰ側でアイドル状態にあるとき、Ｎ３ＧＰＰ側でユーザ機器をアイドル状態から接続状態へ切り替えることを可能にする接続再アクティブ化ソリューションが提供可能であり、その結果、ユーザ機器は、Ｎ３ＧＰＰ側で確立されたＰＤＵセッションの接続を再アクティブ化でき、これにより、Ｎ３ＧＰＰ側でのダウンリンクデータの送信の成功を保証する。
【０２１８】
また、図７に示される方法はまた、以下のシナリオに適用されてよい。すなわち、ユーザ機器が３ＧＰＰアクセスネットワークおよびＮ３ＧＰＰアクセスネットワークの両方を用いてコアネットワークにアクセスし、ユーザ機器がＮ３ＧＰＰ側で接続状態にあるが、ＰＤＵセッションのユーザプレーン接続が確立されていない場合にも、方法はアクセスおよびモビリティ管理機能エンティティによって用いられて、ユーザ機器に対し、３ＧＰＰ側でＰＤＵセッションの接続を再アクティブ化するよう、３ＧＰＰアクセスネットワークを用いて命令してよい。
【０２１９】
図７に示される接続再アクティブ化方法に基づき、本願のこの実施形態は、さらに、接続再アクティブ化方法を提供する。方法は、図８に示される。図８に示される接続再アクティブ化方法は、図７に示される接続再アクティブ化方法の特定の例としてみなされてよい。図８に示される方法において図示されておらず、詳しく説明されていない実装については、図７に示される方法の関連説明を参照されたい。図８に示される通り、方法、以下の段階を含む。
【０２２０】
１．ＵＰＦは、Ｎ３ＧＰＰ側で確立されたＰＤＵセッション内で、ＵＥに配信されるべきダウンリンクデータを受信する。
【０２２１】
ＵＥは、Ｎ３ＧＰＰ側でアイドル状態にある。
【０２２２】
２ａ．ＵＰＦは、ダウンリンクデータ通知メッセージをＳＭＦに送信する。
【０２２３】
ダウンリンクデータ通知メッセージは、ＵＰＦがＮ３ＧＰＰ側で確立されたＰＤＵセッション内でＵＥに配信されるべきダウンリンクデータを受信したことを示すために用いられる。ダウンリンクデータ通知メッセージは、ＰＤＵセッション識別子を保持する。
【０２２４】
２ｂ．ＳＭＦは、ダウンリンクデータ通知メッセージを受信した後、ダウンリンクデータ通知メッセージ確認応答メッセージをＵＰＦに送信し、ＳＭＦがＵＰＦによって送信されたダウンリンクデータ通知メッセージを受信したことを示す。
【０２２５】
３ａ．ＳＭＦは、Ｎ１１メッセージをＡＭＦに送信する。
【０２２６】
Ｎ１１メッセージは、図７に示された方法における第１のメッセージの特定の例であり、Ｎ１１メッセージはＰＤＵセッション識別子を保持する。
【０２２７】
３ｂ．ＡＭＦは、Ｎ１１メッセージ確認応答メッセージをＳＭＦに送信し、ＡＭＦがＳＭＦによって送信されたＮ１１メッセージを受信したことを示す。
【０２２８】
４．ＡＭＦは、ページングメッセージをＲＡＮに送信する。
【０２２９】
ページングメッセージは、接続再アクティブ化指標を保持する。接続再アクティブ化指標は、ユーザ機器がＰＤＵセッションをＮ３ＧＰＰ側から３ＧＰＰ側に切り替えた後、ユーザ機器に対し、３ＧＰＰアクセスネットワークを用いて、ＰＤＵセッションの接続を再アクティブ化するよう命令するために用いられる。
【０２３０】
接続再アクティブ化指標は、ＰＤＵセッション識別子、ＰＤＵセッションに関連付けられた無線アクセス技術タイプ、およびＰＤＵセッションに関連付けられたアクセスネットワーク識別子のうちの１または複数を含んでよい。
【０２３１】
ＡＭＦが、ＡＭＦのストレージポリシーに基づき、ＰＤＵセッションが、３ＧＰＰアクセスネットワークを用いて再アクティブ化されてよいことを決定した後、ページングメッセージは、ＡＭＦによってＵＥに送信される。ＡＭＦは、同時にＰＤＵセッションのコンテキストを３ＧＰＰ側に結合してよい、またはＡＭＦは、ＵＥがＰＤＵセッションの再アクティブ化のためのサービス要求を開始した後で、ＰＤＵセッションのコンテキストを３ＧＰＰ側に結合してよい。
【０２３２】
ＡＭＦによってネットワークポリシーを取得する方式には、限定ではないが、以下の２つの方式が含まれる。すなわち、ＡＭＦは、ＰＤＵセッションの確立時に、ＵＤＭまたはＰＣＦからネットワークポリシーを取得する、または、ＡＭＦは、Ｎ１１メッセージの受信時に、ＵＤＭまたはＰＣＦからネットワークポリシーを取得する。
【０２３３】
ネットワークポリシーは、さらに、ＡＭＦ内に格納されたＰＤＵセッションのコンテキストを含んでよい。
【０２３４】
具体的には、ＡＭＦは、ＰＤＵセッションのコンテキストを３ＧＰＰ側に結合する段階を実行してよい、または、ＳＭＦに対し、ＰＤＵセッションのコンテキストを３ＧＰＰ側に結合する段階を実行するよう命令してよい。
【０２３５】
５．ＲＡＮは、ページングメッセージをＵＥに転送する。
【０２３６】
ＡＭＦが、ＲＡＮによる転送を通して、接続再アクティブ化指標をＵＥに送信する処理は、通知メッセージまたはページングメッセージを用いて実装されてよい。ＵＥが３ＧＰＰ側でアイドル状態にあるとき、ＡＭＦがＲＡＮによる転送を通して、接続再アクティブ化指標をＵＥに送信する処理は、ページングメッセージを用いて実装される。ＵＥが３ＧＰＰ側で接続状態にあるとき、ＡＭＦがＲＡＮによる転送を通して、接続再アクティブ化指標をＵＥに送信する処理は、通知メッセージを用いて実装される。図８における説明の一例として、ページングメッセージが用いられる。
【０２３７】
６．ページングメッセージを受信した後、ＵＥは、ページングメッセージ内に保持された接続再アクティブ化指標の指標に基づき、ＰＤＵセッションのコンテキストを３ＧＰＰ側に結合し、ＲＡＮを用いて、ＰＤＵセッションを再アクティブ化するためのサービス要求を開始する。
【０２３８】
ＵＥが、ＲＡＮを用いて、ＰＤＵセッションを再アクティブ化するためのサービス要求を開始することは、ＵＥが、３ＧＰＰアクセスネットワークを用いて、ＰＤＵセッションを再アクティブ化するためのサービス要求を開始することを意味する。
【０２３９】
ＵＥによって、ＰＤＵセッションのコンテキストを３ＧＰＰ側に結合する段階、およびＵＥによってＲＡＮを用いてサービス要求を開始する段階は、任意の順序で実行されてよいことに留意されたい。
【０２４０】
７．ＵＰＦは、ＲＡＮを用いて、ダウンリンクデータをＵＥに送信する。
【０２４１】
ＵＰＦが、ＲＡＮを用いてダウンリンクデータをＵＥに送信することは、ＵＰＦが、３ＧＰＰアクセスネットワークを用いて、ダウンリンクデータをＵＥに送信することを意味する。
【０２４２】
［実施形態Ｃ］
【０２４３】
図９に示される通り、図９は、本願で提供される接続再アクティブ化方法を示す。図９に示される方法は、図４に示される方法の一実装としてみなされてよい。図９に示される方法は、以下の段階を含む。
【０２４４】
Ｓ９０１．アクセスおよびモビリティ管理機能エンティティは、セッション管理機能エンティティによって送信された第１のメッセージを受信する。
【０２４５】
第１のメッセージは、Ｎ３ＧＰＰ側でユーザ機器によって確立されたＰＤＵセッションの接続を再アクティブ化するよう命令するために用いられる第１の再アクティブ化指標を保持する。第１の再アクティブ化指標は、ＰＤＵセッション識別子であってよい。
【０２４６】
ＰＤＵセッションは、ユーザ機器が、Ｎ３ＧＰＰ側で接続状態からアイドル状態に切り替わる前に確立されたＰＤＵセッションであることに留意されたい。
【０２４７】
Ｓ９０２．アクセスおよびモビリティ管理機能エンティティは、３ＧＰＰアクセスネットワークを用いて、第２のメッセージをユーザ機器に送信する。
【０２４８】
ユーザ機器は、Ｎ３ＧＰＰ側でアイドル状態にあり、第２のメッセージは、ユーザ機器に対し、ダウンリンクデータを受信すべく、ＰＤＵセッションの接続を再アクティブ化するよう命令するために用いられる。
【０２４９】
Ｓ９０３．ユーザ機器は、ストレージポリシーを取得する。
【０２５０】
ストレージポリシーは、ユーザ機器がＰＤＵセッションの再アクティブ化のためのサービス要求を開始するときのアクセスネットワーク選択ポリシーを示すために用いられる。
【０２５１】
具体的には、ユーザ機器がストレージポリシーを取得することは、以下の２つの方式で実装されてよい。すなわち、ユーザ機器は、ユーザ構成を通してストレージポリシーを取得する。代替的に、ユーザ機器は、アクセスおよびモビリティ管理機能エンティティを用いて、ストレージポリシーを取得する。すなわち、アクセスおよびモビリティ管理機能エンティティは、ストレージポリシーをユーザ機器に配信する、または、ユーザ機器は、ＰＤＵセッションを用いて、ネットワーク側からストレージポリシーを取得する。
【０２５２】
Ｓ９０４．ユーザ機器は、ストレージポリシーの指標に基づき、Ｎ３ＧＰＰアクセスネットワークを用いて、ＰＤＵセッションを再アクティブ化するためのサービス要求を開始する、または、ユーザ機器は、ストレージポリシーの指標に基づき、ＰＤＵセッションのコンテキストを３ＧＰＰ側に結合し、且つ、３ＧＰＰアクセスネットワークを用いて、ＰＤＵセッションを再アクティブ化するためのサービス要求を開始する。ユーザ機器によって、ＰＤＵセッションのコンテキストを３ＧＰＰ側に結合する段階、およびユーザ機器によってＲＡＮを用いてサービス要求を開始する段階は、任意の順序で実行されてよい。
【０２５３】
例えば、ストレージポリシーは、ユーザ構成を通して取得され、ユーザ構成は以下を指定する。すなわち、ＰＤＵセッションのダウンリンクデータがビデオデータである場合、ユーザ機器は、ダウンリンクデータを受信すべく、Ｎ３ＧＰＰアクセスネットワークを用いて、ＰＤＵセッションの接続を再アクティブ化することが好ましい。この場合、Ｓ９０４の実行時に、ユーザ機器は、ストレージポリシーの指標に基づき、Ｎ３ＧＰＰアクセスネットワークを用いて、ＰＤＵセッションの再アクティブ化のためのサービス要求を開始する。別の例では、ストレージポリシーは、アクセスおよびモビリティ管理機能エンティティを用いて取得され、ストレージポリシーは、ユーザ機器が、３ＧＰＰアクセスネットワークを用いて、ＰＤＵセッションの接続を再アクティブ化することが好ましいことを示す。この場合、Ｓ９０４の実行時に、ユーザ機器は、ストレージポリシーの指標に基づき、３ＧＰＰアクセスネットワークを用いて、ＰＤＵセッションを再アクティブ化するためのサービス要求を開始する。
【０２５４】
上記の通り、アクセスおよびモビリティ管理機能エンティティによってユーザ機器に送信された第２のメッセージは、接続再アクティブ化指標を保持してよい。接続再アクティブ化指標は、ＰＤＵセッション識別子、ＰＤＵセッションに関連付けられた無線アクセス技術タイプ、またはＰＤＵセッションに関連付けられたアクセスネットワーク識別子のうちの１または複数を含んでよい。また、接続再アクティブ化指標が、ＰＤＵセッション識別子を含む場合、ユーザ機器は、Ｓ９０４におけるサービス要求の開始時に、ＰＤＵセッション識別子をサービス要求に追加してよい。
【０２５５】
図９に示される方法においては、セッション管理機能エンティティによって送信された第１のメッセージを受信した後、アクセスおよびモビリティ管理機能エンティティは、第２のメッセージを用いて、ユーザ機器に対し、Ｎ３ＧＰＰ側で確立されたＰＤＵセッションの接続を再アクティブ化するよう命令すべく、３ＧＰＰアクセスネットワークを用いて、第２のメッセージをユーザ機器に送信する。第２のメッセージを受信した後、ユーザ機器のストレージポリシーに基づき、ユーザ機器は、Ｎ３ＧＰＰ側でダウンリンクデータを受信すべく、Ｎ３ＧＰＰアクセスネットワークまたは３ＧＰＰアクセスネットワークを用いて、ＰＤＵセッションを再アクティブ化するためのサービス要求を開始することを選択してよい。従って、図９に示される接続再アクティブ化方法によると、ユーザ機器が、３ＧＰＰアクセスネットワークおよびＮ３ＧＰＰアクセスネットワークの両方を用いてコアネットワークにアクセスし、ユーザ機器がＮ３ＧＰＰ側でアイドル状態にあるとき、Ｎ３ＧＰＰ側でユーザ機器をアイドル状態から接続状態へ切り替えることを可能にする接続再アクティブ化ソリューションが提供可能であり、その結果、ユーザ機器は、ＰＤＵセッションの接続を再アクティブ化でき、これにより、ダウンリンクデータの送信の成功を保証する。
【０２５６】
また、図９に示される方法は、以下のシナリオに適用されてよい。すなわち、ユーザ機器が３ＧＰＰアクセスネットワークおよびＮ３ＧＰＰアクセスネットワークの両方を用いてコアネットワークにアクセスし、ユーザ機器がＮ３ＧＰＰ側で接続状態にあるが、ＰＤＵセッションのユーザプレーン接続が確立されていない場合にも、方法はアクセスおよびモビリティ管理機能エンティティによって用いられて、ＵＥに対し、ＰＤＵセッションの接続を再アクティブ化するよう３ＧＰＰ側で命令してよい。
【０２５７】
図９に示される接続再アクティブ化方法に基づき、本願のこの実施形態は、接続再アクティブ化方法をさらに提供する。方法は、図１０に示される。図１０に示される接続再アクティブ化方法は、図９に示される接続再アクティブ化方法の特定の例としてみなされてよい。図１０に示される方法において図示されておらず、詳しく説明されていない実装については、図９に示される方法の関連説明を参照されたい。図１０に示される通り、方法、以下の段階を含む。
【０２５８】
１Ａ．ＵＰＦは、Ｎ３ＧＰＰ側で確立されたＰＤＵセッション内で、ＵＥに配信されるべきダウンリンクデータを受信する。
【０２５９】
ＵＥは、Ｎ３ＧＰＰ側でアイドル状態にある。
【０２６０】
２ａ．ＵＰＦは、ダウンリンクデータ通知メッセージをＳＭＦに送信する。
【０２６１】
ダウンリンクデータ通知メッセージは、ＵＰＦがＮ３ＧＰＰ側で確立されたＰＤＵセッション内でＵＥに配信されるべきダウンリンクデータを受信したことを示すために用いられる。ダウンリンクデータ通知メッセージは、ＰＤＵセッション識別子を保持する。
【０２６２】
２ｂ．ＳＭＦは、ダウンリンクデータ通知メッセージを受信した後、ダウンリンクデータ通知メッセージ確認応答メッセージをＵＰＦに送信し、ＳＭＦがＵＰＦによって送信されたダウンリンクデータ通知メッセージを受信したことを示す。
【０２６３】
３ａ．ＳＭＦは、Ｎ１１メッセージをＡＭＦに送信する。
【０２６４】
Ｎ１１メッセージは、図９に示された方法における第１のメッセージの特定の例であり、Ｎ１１メッセージはＰＤＵセッション識別子を保持する。
【０２６５】
３ｂ．ＡＭＦは、Ｎ１１メッセージ確認応答メッセージをＳＭＦに送信し、ＡＭＦがＳＭＦによって送信されたＮ１１メッセージを受信したことを示す。
【０２６６】
４．ＡＭＦは、ページングメッセージをＲＡＮに送信する。
【０２６７】
ページングメッセージは、接続再アクティブ化指標を保持し、接続再アクティブ化指標は、ユーザ機器に対し、ＰＤＵセッションの接続を再アクティブ化するよう命令するために用いられる。
【０２６８】
５．ＲＡＮは、ページングメッセージをＵＥに転送する。
【０２６９】
ＡＭＦが、ＲＡＮによる転送を通して、接続再アクティブ化指標をＵＥに送信する処理は、通知メッセージまたはページングメッセージを用いて実装されてよい。ＵＥが３ＧＰＰ側でアイドル状態にある場合、ＡＭＦがＲＡＮによる転送を通して、接続再アクティブ化指標をＵＥに送信する処理は、ページングメッセージを用いて実装される。ＵＥが３ＧＰＰ側で接続状態にある場合、ＡＭＦがＲＡＮによる転送を通して、接続再アクティブ化指標をＵＥに送信する処理は、通知メッセージを用いて実装される。図１０における説明の一例として、ページングメッセージが用いられる。
【０２７０】
６．ページングメッセージを受信した後、ＵＥのストレージポリシーの指標に基づき、ＵＥは、Ｎ３ＩＷＦまたはＲＡＮを用いて、ＰＤＵセッションを再アクティブ化するためのサービス要求を開始することを選択する。
【０２７１】
ＵＥが、Ｎ３ＩＷＦを用いてＰＤＵセッションを再アクティブ化するためのサービス要求を開始することは、ＵＥが、Ｎ３ＧＰＰアクセスネットワークを用いて、ＰＤＵセッションを再アクティブ化するためのサービス要求を開始することを意味する。ＵＥが、ＲＡＮを用いてＰＤＵセッションを再アクティブ化するためのサービス要求を開始することは、ＵＥが、３ＧＰＰアクセスネットワークを用いて、ＰＤＵセッションを再アクティブ化するためのサービス要求を開始することを意味する。
【０２７２】
７．ＵＰＦは、ダウンリンクデータをＵＥに送信する。
【０２７３】
ＵＥが、Ｎ３ＩＷＦを用いて、ＰＤＵセッションを再アクティブ化するためのサービス要求を開始する場合、ＵＰＦは、Ｎ３ＩＷＦを用いてダウンリンクデータをＵＥに送信する。ＵＥが、ＲＡＮを用いて、ＰＤＵセッションを再アクティブ化するためのサービス要求を開始する場合、ＵＰＦは、ＲＡＮを用いてダウンリンクデータをＵＥに送信する。
【０２７４】
結論として、本願において提供される接続再アクティブ化方法によると、ユーザ機器が、Ｎ３ＧＰＰアクセスネットワークを用いて５Ｇコアネットワークにアクセスし、ユーザ機器がアイドル状態にある場合、ユーザ機器をアイドル状態から接続状態に切り替えることを可能にする接続再アクティブ化ソリューションが提供され、これにより、ダウンリンクデータの送信の成功を保証する。
【０２７５】
本願の一実施形態は、アクセスおよびモビリティ管理機能エンティティを提供する。アクセスおよびモビリティ管理機能エンティティは、図２または図３で示される方法におけるアクセスおよびモビリティ管理機能エンティティによって実行される動作を実行するよう構成されてよい。図１１に示される通り、アクセスおよびモビリティ管理機能エンティティ１１００は、受信機１１０１、プロセッサ１１０２、メモリ１１０３および送信機１１０４を含む。
【０２７６】
受信機１１０１は、セッション管理機能エンティティによって送信された第１のメッセージを受信するように構成されている。第１のメッセージは、プロトコルデータユニット（ＰＤＵ）セッションの接続を再アクティブ化するよう命令するために用いられる第１の再アクティブ化指標を保持し、ＰＤＵセッションは、Ｎ３ＧＰＰ側でユーザ機器によって確立されている。プロセッサ１１０２は、メモリ１１０３内に格納されたプログラムを実行して、ユーザ機器がＮ３ＧＰＰ側でアイドル状態にあるとき、第１の再アクティブ化指標を格納する手順を実行させるように構成されている。受信機１１０１は、さらに、ユーザ機器によって送信された第２のメッセージを、Ｎ３ＧＰＰアクセスネットワークを用いて受信するように構成されている。第２のメッセージは、周期的登録要求または第１のサービス要求である。送信機１１０４は、第１の再アクティブ化指標に基づき、Ｎ３ＧＰＰアクセスネットワークを用いて、第３のメッセージをユーザ機器に送信するように構成されている。第３のメッセージは、ユーザ機器に対し、ＰＤＵセッションの接続を再アクティブ化するよう命令するための接続再アクティブ化指標を保持する。
【０２７７】
代替的に、受信機１１０１は、セッション管理機能エンティティによって送信された第１のメッセージを受信するように構成されている。第１のメッセージは、Ｎ３ＧＰＰ側でユーザ機器によって確立されたプロトコルデータユニット（ＰＤＵ）セッションの接続を再アクティブ化するよう命令するために用いられる第１の再アクティブ化指標を保持する。送信機１１０４は、さらに、ユーザ機器がＮ３ＧＰＰ側でアイドル状態にあるとき、第４のメッセージをセッション管理機能エンティティに送信するように構成されている。第４のメッセージは、ユーザ機器が到達不可能であることを示すために用いられる。
【０２７８】
随意で、プロセッサ１１０２は、さらに、メモリ１１０３内に格納されたプログラムを実行して、受信機１１０１が、セッション管理機能エンティティによって送信された第１のメッセージを受信した後、データキャッシュタイマを取得する手順を実行させるように構成されている。第１の再アクティブ化指標に基づいて、Ｎ３ＧＰＰアクセスネットワークを用いて、第３のメッセージをユーザ機器に送信するとき、送信機１１０４は、具体的に、データキャッシュタイマがタイムアウトする前に、第１の再アクティブ化指標に基づき、Ｎ３ＧＰＰアクセスネットワークを用いて、第３のメッセージをユーザ機器に送信するように構成されている。
【０２７９】
随意で、プロセッサ１１０２は、さらに、メモリ１１０３内に格納されたプログラムを実行して、送信機１１０４が第４のメッセージをセッション管理機能エンティティに送信する前に、ユーザ機器が次の周期的登録要求を開始する時点に基づき、第４のメッセージを送信するか否かを決定する手順を実行させるように構成されている。
【０２８０】
随意で、第１の再アクティブ化指標は、ＰＤＵセッションのセッション識別子を含む。
【０２８１】
随意で、接続再アクティブ化指標は、ＰＤＵセッションのセッション識別子、ＰＤＵセッションに関連付けられた無線アクセス技術タイプ、およびＰＤＵセッションに関連付けられたアクセスネットワーク識別子のうちの１または複数を含んでよい。
【０２８２】
図１１に示されるアクセスおよびモビリティ管理機能エンティティ１１００は、図２または図３に示される接続再アクティブ化方法におけるアクセスおよびモビリティ管理機能エンティティによって実行される手順を実行するように構成されてよいことに留意されたい。アクセスおよびモビリティ管理機能エンティティ１１００において詳細に記載されていない実装については、図２または図３に示される方法の関連説明を参照されたい。
【０２８３】
図１２は、上述の実施形態におけるアクセスおよびモビリティ管理機能エンティティ（ＡＭＦ）の別の可能な概略構造図である。
【０２８４】
アクセスおよびモビリティ管理機能エンティティ１２００は、通信ユニット１２０１、処理ユニット１２０２およびストレージユニット１２０３を含む。通信ユニット１２０１は、上述の実施形態におけるアクセスおよびモビリティ管理機能エンティティとユーザ機器との間の情報の受信および送信をサポートするように構成されている。処理ユニット１２０２は、さらに、図２中のアクセスおよびモビリティ管理機能エンティティに関連する処理プロセスおよび／または本願に記載された技術に用いられる別のプロセスを実行する。例えば、処理ユニット１２０２は、アクセスおよびモビリティ管理機能エンティティが、図２中のＳ２０１からＳ２０５の処理および／または本明細書で説明した技術に用いられる別の処理を実行するのをサポートするように構成されている。ストレージユニット１２０３は、アクセスおよびモビリティ管理機能エンティティのプログラムコードおよびデータを格納するように構成されている。
【０２８５】
本願の実施形態におけるユニット区分は一例であり、単に論理的機能の区分であることに留意されたい。実際の実装においては、別の区分方式が存在してよい。本願の実施形態における複数の機能ユニットは、１つの処理ユニットに統合されてよく、または、各ユニットは物理的に単独で存在してよく、または２または２より多いユニットが１つのユニットに統合される。例えば、上述の実施形態においては、第１の取得ユニットおよび第２の取得ユニットは、同一のユニットまたは異なる複数のユニットであってよい。統合されたユニットは、ハードウェアの形態で実装されてよく、または、ソフトウェア機能ユニットの形態で実装されてよい。
【０２８６】
本願の一実施形態は、ユーザ機器を提供する。ユーザ機器は、図２または図３に示された接続再アクティブ化方法におけるユーザ機器によって実行される動作を実行するように構成されてよい。図１３に示される通り、ユーザ機器１３００は、送信機１３０１および受信機１３０２を含む。
【０２８７】
送信機１３０１は、Ｎ３ＧＰＰアクセスネットワークを用いて、第２のメッセージをアクセスおよびモビリティ管理機能エンティティに送信するように構成されている。第２のメッセージは、周期的登録要求または第１のサービス要求である。受信機１３０２は、アクセスおよびモビリティ管理機能エンティティによって送信された第３のメッセージを、Ｎ３ＧＰＰアクセスネットワークを用いて受信するように構成されている。第３のメッセージは、接続再アクティブ化指標を保持する。送信機１３０１は、さらに、Ｎ３ＧＰＰアクセスネットワークを用いて第２のサービス要求を開始するように構成されている。第２のサービス要求は、ＰＤＵセッションの接続の再アクティブ化を要求するために用いられ、ＰＤＵセッションは、Ｎ３ＧＰＰ側でユーザ機器により確立されている。
【０２８８】
接続再アクティブ化指標は、ＰＤＵセッションのセッション識別子、ＰＤＵセッションに関連付けられた無線アクセス技術タイプ、およびＰＤＵセッションに関連付けられたアクセスネットワーク識別子のうちの１または複数を含む。
【０２８９】
図１３に示されるユーザ機器１３００は、図２または図３に示される接続再アクティブ化方法におけるユーザ機器によって実行される動作を実行するように構成されてよいこと留意されたい。ユーザ機器１３００において詳細に記載されていない実装については、図２または図３に示される方法の関連説明を参照されたい。
【０２９０】
図１４は、上述の実施形態におけるユーザ機器（ＵＥ）の別の可能な概略構造図である。
【０２９１】
ユーザ機器１４００は、通信ユニット１４０１、処理ユニット１４０２およびストレージユニット１４０３を含む。通信ユニット１４０１は、上述の実施形態におけるユーザ機器と、アクセスおよびモビリティ管理機能エンティティとの間の情報の受信および送信をサポートするように構成されている。処理ユニット１４０２は、さらに、図２中のユーザ機器に関連する処理プロセスおよび／または本願に記載された技術に用いられる別のプロセスを実行する。例えば、処理ユニット１４０２は、ユーザ機器が、図２中のＳ２０１からＳ２０５の処理および／または本明細書で説明した技術に用いられる別の処理を実行するのをサポートするように構成されている。ストレージユニット１４０３は、ユーザ機器のプログラムコードおよびデータを格納するように構成されている。
【０２９２】
本願の一実施形態は、アクセスおよびモビリティ管理機能エンティティを提供する。アクセスおよびモビリティ管理機能エンティティは、図４から図１０に示される任意の接続再アクティブ化方法におけるアクセスおよびモビリティ管理機能エンティティによって実行される動作を実行するように構成されてよい。図１５に示される通り、アクセスおよびモビリティ管理機能エンティティ１５００は、受信機１５０１および送信機１５０２を含み、さらに、プロセッサ１５０３およびメモリ１５０４を含んでよい。
【０２９３】
受信機１５０１は、セッション管理機能エンティティによって送信された第１のメッセージを受信するように構成されている。第１のメッセージは、Ｎ３ＧＰＰ側でユーザ機器によって確立されたプロトコルデータユニット（ＰＤＵ）セッションの接続を再アクティブ化するよう命令するために用いられる第１の再アクティブ化指標を保持する。送信機１５０２は、ユーザ機器がＮ３ＧＰＰ側でアイドル状態にあるとき、第１の再アクティブ化指標に基づき、３ＧＰＰアクセスネットワークを用いて、第２のメッセージをユーザ機器に送信するように構成されている。第２のメッセージは、ユーザ機器に対し、ＰＤＵセッションの接続を再アクティブ化するよう命令するために用いられる。
【０２９４】
随意で、第１の再アクティブ化指標に基づき、３ＧＰＰアクセスネットワークを用いて第２のメッセージをユーザ機器に送信する場合において、第２のメッセージが、ユーザ機器に対し、ＰＤＵセッションの接続を再アクティブ化するよう命令するために用いられとき、送信機１５０２は、具体的に、ユーザ機器が３ＧＰＰ側で接続状態にあるとき、第１の再アクティブ化指標に基づき、３ＧＰＰアクセスネットワークを用いて、通知メッセージをユーザ機器に送信するように構成されており、通知メッセージは、接続再アクティブ化指標を保持し、接続再アクティブ化指標は、ユーザ機器に対し、ＰＤＵセッションの接続を再アクティブ化するよう命令するために用いられる、または、ユーザ機器が３ＧＰＰ側でアイドル状態にあるとき、第１の再アクティブ化指標に基づき、３ＧＰＰアクセスネットワークを用いて、ページングメッセージをユーザ機器に送信するように構成されており、ページングメッセージは、接続再アクティブ化指標を保持し、接続再アクティブ化指標は、ユーザ機器に対し、ＰＤＵセッションの接続を再アクティブ化するよう命令するために用いられる。
【０２９５】
随意で、第２のメッセージは、ユーザ機器に対し、Ｎ３ＧＰＰアクセスネットワークを用いて、ＰＤＵセッションの接続を再アクティブ化するよう命令するために用いられる。
【０２９６】
随意で、プロセッサ１５０３は、メモリ１５０４内に格納されたプログラムを実行して、受信機１５０１がセッション管理機能エンティティによって送信された第１のメッセージを受信した後であって、送信機１５０２が第２のメッセージをユーザ機器に送信する前に、ＰＤＵセッションのコンテキストを３ＧＰＰ側に結合する手順を実行させるように構成されている。第２のメッセージは、ユーザ機器がＰＤＵセッションをＮ３ＧＰＰ側から３ＧＰＰ側に切り替えた後、ユーザ機器に対し、３ＧＰＰアクセスネットワークを用いて、ＰＤＵセッションの接続を再アクティブ化するよう命令するために用いられる。
【０２９７】
随意で、プロセッサ１５０３は、さらに、メモリ１５０４内に格納されたプログラムを実行して、ＰＤＵセッションのコンテキストを３ＧＰＰ側に結合する前に、ネットワークポリシーを取得する手順を実行させるように構成されている。ネットワークポリシーは、ＰＤＵセッションがＮ３ＧＰＰ側から３ＧＰＰ側に切り替わり得ることを示すために用いられる。
【０２９８】
随意で、ネットワークポリシーを取得するとき、プロセッサ１５０３は、具体的に、ＰＤＵセッションの確立時に、一元化データ管理（ＵＤＭ）またはポリシー制御機能エンティティ（ＰＣＦ）からネットワークポリシーを取得する、または、第１のメッセージの受信時に、ＵＤＭまたはＰＣＦからネットワークポリシーを取得する、ように構成されている。
【０２９９】
随意で、第１の再アクティブ化指標は、ＰＤＵセッションのセッション識別子を含む。
【０３００】
随意で、接続再アクティブ化指標は、ＰＤＵセッションのセッション識別子、ＰＤＵセッションに関連付けられた無線アクセス技術タイプおよびＰＤＵセッションに関連付けられたアクセスネットワーク識別子のうちの１または複数を含む。
【０３０１】
図１５に示されるアクセスおよびモビリティ管理機能エンティティ１５００は、図４から図１０に示される任意の接続再アクティブ化方法におけるアクセスおよびモビリティ管理機能エンティティによって実行される動作を実行するように構成されてよいことに留意されたい。アクセスおよびモビリティ管理機能エンティティ１５００において詳細に記載されていない実装については、図４から図１０に示される方法の関連説明を参照されたい。
【０３０２】
図１６は、上述の実施形態におけるアクセスおよびモビリティ管理機能エンティティ（ＡＭＦ）の別の可能な概略構造図である。
【０３０３】
アクセスおよびモビリティ管理機能エンティティ１６００は、通信ユニット１６０１、処理ユニット１６０２およびストレージユニット１６０３を含む。通信ユニット１６０１は、上述の実施形態におけるアクセスおよびモビリティ管理機能エンティティとユーザ機器との間の情報の受信および送信をサポートするように構成されている。処理ユニット１６０２は、さらに、図４中のアクセスおよびモビリティ管理機能エンティティに関連する処理プロセスおよび／または本願に記載された技術に用いられる別のプロセスを実行する。例えば、処理ユニット１６０２は、アクセスおよびモビリティ管理機能エンティティが、図４中のＳ４０１からＳ４０３の処理および／または本明細書で説明した技術に用いられる別の処理を実行するのをサポートするように構成されている。ストレージユニット１６０３は、アクセスおよびモビリティ管理機能エンティティのプログラムコードおよびデータを格納するように構成されている。
【０３０４】
本願は、ユーザ機器を提供する。ユーザ機器は、図４から図１０に示された任意の接続再アクティブ化方法におけるユーザ機器によって実行される動作を実行するように構成されてよい。図１７に示される通り、ユーザ機器１７００は、受信機１７０１および送信機１７０２を含み、さらに、プロセッサ１７０３およびメモリ１７０４を含んでよい。
【０３０５】
受信機１７０１は、ユーザ機器がＮ３ＧＰＰ側でアイドル状態にあるとき、アクセスおよびモビリティ管理機能エンティティによって送信された第２のメッセージを、３ＧＰＰアクセスネットワークを用いて受信するように構成されている。第２のメッセージは、Ｎ３ＧＰＰ側でユーザ機器によって確立されたプロトコルデータユニット（ＰＤＵ）セッションの接続を再アクティブ化するよう命令するために用いられる。送信機１７０２は、サービス要求を開始するように構成されている。サービス要求は、ＰＤＵセッションの接続の再アクティブ化を要求するために用いられる。
【０３０６】
随意で、アクセスおよびモビリティ管理機能エンティティによって送信された第２のメッセージを、３ＧＰＰアクセスネットワークを用いて受信するとき、受信機１７０１は、具体的に、ユーザ機器が３ＧＰＰ側で接続状態にあるとき、アクセスおよびモビリティ管理機能エンティティによって送信された通知メッセージを、３ＧＰＰアクセスネットワークを用いて受信するように構成されており、通知メッセージは、接続再アクティブ化指標を保持し、接続再アクティブ化指標は、ユーザ機器に対し、ＰＤＵセッションの接続を再アクティブ化するよう命令するために用いられる、または、ユーザ機器が３ＧＰＰ側でアイドル状態にあるとき、アクセスおよびモビリティ管理機能エンティティによって送信されたページングメッセージを、３ＧＰＰアクセスネットワークを用いて受信するように構成されており、ぺージングメッセージは、接続再アクティブ化指標を保持し、接続再アクティブ化指標は、ユーザ機器に対し、ＰＤＵセッションの接続を再アクティブ化するよう命令するために用いられる。
【０３０７】
随意で、サービス要求を開始するとき、送信機１７０２は、具体的に、Ｎ３ＧＰＰアクセスネットワークを用いて、サービス要求を開始するように構成されている。
【０３０８】
第２のメッセージは、ユーザ機器に対し、Ｎ３ＧＰＰアクセスネットワークを用いて、ＰＤＵセッションの接続を再アクティブ化するよう命令するために用いられる。
【０３０９】
随意で、プロセッサ１７０３は、メモリ１７０４内に格納されたプログラムを実行して、送信機１７０２がサービス要求を開始する前に、接続再アクティブ化指標およびユーザ機器に格納されたコンテキストに基づき、サービス要求がＮ３ＧＰＰアクセスネットワークを用いて開始されるべきであると決定する手順を実行させるように構成されている。サービス要求を開始するとき、送信機１７０２は、具体的に、Ｎ３ＧＰＰアクセスネットワークを用いて、サービス要求を開始するように構成されている。
【０３１０】
随意で、プロセッサ１７０３は、さらに、メモリ１７０４内に格納されたプログラムを実行して、送信機１７０２がサービス要求を開始する前に、ＰＤＵセッションのコンテキストを３ＧＰＰ側に結合する手順を実行させるように構成されている。サービス要求を開始するとき、送信機１７０２は、具体的に、３ＧＰＰアクセスネットワークを用いて、サービス要求を開始するように構成されている。第２のメッセージは、ユーザ機器がＰＤＵセッションをＮ３ＧＰＰ側から３ＧＰＰ側に切り替えた後、ユーザ機器に対し、３ＧＰＰアクセスネットワークを用いて、ＰＤＵセッションの接続を再アクティブ化するよう命令するために用いられる。
【０３１１】
随意で、プロセッサ１７０３は、さらに、メモリ１７０４内に格納されたプログラムを実行して、受信機１７０１が、アクセスおよびモビリティ管理機能エンティティによって送信された第２のメッセージを、３ＧＰＰアクセスネットワークを用いて受信した後であって、送信機１７０２がサービス要求を開始する前に、ストレージポリシーを取得する手順を実行させるように構成されている。ストレージポリシーは、ユーザ機器がサービス要求を開始するときの、ユーザ機器のアクセスネットワーク選択ポリシーを示すために用いられる。サービス要求を開始するとき、送信機１７０２は、具体的に、ストレージポリシーの指標に基づき、Ｎ３ＧＰＰアクセスネットワークを用いて、サービス要求を開始する、または、ストレージポリシーの指標に基づき、ＰＤＵセッションのコンテキストを３ＧＰＰ側に結合し、および、３ＧＰＰアクセスネットワークを用いて、サービス要求を開始する、ように構成されている。
【０３１２】
随意で、ストレージポリシーを取得するとき、プロセッサ１７０３は、具体的に、ユーザ構成を通して、または、アクセスおよびモビリティ管理機能エンティティを用いて、ストレージポリシーを取得するように構成されている。
【０３１３】
随意で、接続再アクティブ化指標は、ＰＤＵセッションのセッション識別子、ＰＤＵセッションに関連付けられた無線アクセス技術タイプ、およびＰＤＵセッションに関連付けられたアクセスネットワーク識別子のうちの１または複数を含む。
【０３１４】
随意で、サービス要求は、ＰＤＵセッションのセッション識別子を保持してよい。
【０３１５】
図１７に示されるユーザ機器１７００は、図４から図１０に示される任意の接続再アクティブ化方法におけるユーザ機器によって実行される動作を実行するように構成されてよいことに留意されたい。ユーザ機器１７００において詳細に記載されていない実装については、図４から図１０に示される方法の関連説明を参照されたい。
【０３１６】
図１８は、上述の実施形態におけるユーザ機器（ＵＥ）の別の可能な概略構造図である。
【０３１７】
ユーザ機器１８００は、通信ユニット１８０１、処理ユニット１８０２およびストレージユニット１８０３を含む。通信ユニット１８０１は、上述の実施形態におけるユーザ機器と、アクセスおよびモビリティ管理機能エンティティとの間の情報の受信および送信をサポートするように構成されている。処理ユニット１８０２は、さらに、図４中のユーザ機器に関連する処理プロセスおよび／または本願に記載された技術に用いられる別のプロセスを実行する。例えば、処理ユニット１８０２は、ユーザ機器が、図４中のＳ２０１からＳ２０５の処理および／または本明細書で説明した技術に用いられる別の処理を実行するのをサポートするように構成されている。ストレージユニット１８０３は、ユーザ機器のプログラムコードおよびデータを格納するように構成されている。
【０３１８】
当業者は、本願の実施形態は、方法、システムまたはコンピュータプログラムプロダクトとして提供されてよいことを理解されたい。従って、本願は、ハードウェアのみの実施形態、ソフトウェアのみの実施形態、またはソフトウェアおよびハードウェアの組み合わせを持つ実施形態の形を用いてよい。さらに、本願は、コンピュータで使用可能なプログラムコードを含む１または複数のコンピュータで使用可能なストレージ媒体（限定ではないが、ディスクメモリ、ＣＤ-ＲＯＭ、光メモリ等を含む）上に実装されたコンピュータプログラムプロダクトの形態を用いてよい。
【０３１９】
本願は、本願の実施形態による方法、デバイス（システム）、およびコンピュータプログラムプロダクトのフローチャートおよび／またはブロック図を参照して説明されている。コンピュータプログラム命令は、フローチャートおよび／またはブロック図の各プロセスおよび／または各ブロック並びにフローチャートおよび／またはブロック図のプロセスおよび／またはブロックの組み合わせを実装するために用いられてよいことを理解されたい。これらのコンピュータプログラム命令は、汎用コンピュータ、専用コンピュータ、組み込みプロセッサ、または任意の他のプログラム可能データ処理デバイスのプロセッサに提供されてマシンを生成してよく、その結果、コンピュータまたは任意の他のプログラム可能データ処理デバイスのプロセッサによって実行された命令は、フローチャートの１または複数のプロセスにおける、および／またはブロック図の１または複数のブロックにおける特定の機能を実装するための装置を生成する。
【０３２０】
これらのコンピュータプログラム命令は、コンピュータ可読メモリ内に格納されてよく、当該命令は、コンピュータまたは任意の他のプログラム可能データ処理デバイスに対し、特定の方式で動作するよう命令可能であり、その結果、コンピュータ可読メモリ内に格納された命令は、命令装置を含むアーチファクトを生成する。命令装置は、フローチャートの１または複数のプロセスにおける、および／またはブロック図の１または複数のブロックにおける特定の機能を実装する。
【０３２１】
これらのコンピュータプログラム命令は、コンピュータまたは別のプログラム可能データ処理デバイスにロードされてよく、その結果、一連の動作およびステップが、コンピュータまたは別のプログラム可能データ処理デバイス上で実行され、これにより、コンピュータ実装処理を生成する。従って、コンピュータまたは別のプログラム可能デバイス上で実行される命令は、フローチャートの１または複数のプロセスにおける、および／またはブロック図の１または複数のブロックにおける特定の機能を実装するためのステップを提供する。
【０３２２】
当業者が、本発明の実施形態の主旨および範囲から逸脱することなく、本願の実施形態に対して様々な変形およびバリエーションを施し得ることは明らかである。本願は、以降の特許請求の範囲および均等技術によって画される保護範囲に属する提供されたこれらの変形およびバリエーションに及ぶことを意図する。
（項目１）
アクセスおよびモビリティ管理機能エンティティによって、セッション管理機能エンティティにより送信された第１のメッセージを受信する段階であって、上記第１のメッセージは、プロトコルデータユニットＰＤＵセッションの接続を再アクティブ化するよう命令するために用いられる第１の再アクティブ化指標を保持し、上記ＰＤＵセッションは、Ｎ３ＧＰＰ側でユーザ機器によって確立されている、段階、および
上記ユーザ機器が上記Ｎ３ＧＰＰ側でアイドル状態にあるとき、上記アクセスおよびモビリティ管理機能エンティティによって、上記第１の再アクティブ化指標を格納する段階、上記アクセスおよびモビリティ管理機能エンティティによって、上記ユーザ機器により送信された第２のメッセージを、Ｎ３ＧＰＰアクセスネットワークを用いて受信する段階であって、上記第２のメッセージは、周期的登録要求または第１のサービス要求である、段階、および上記アクセスおよびモビリティ管理機能エンティティによって、上記第１の再アクティブ化指標に基づき、上記Ｎ３ＧＰＰアクセスネットワークを用いて、第３のメッセージを上記ユーザ機器に送信する段階であって、上記第３のメッセージは、上記ユーザ機器に対し、上記ＰＤＵセッションの上記接続を再アクティブ化するよう命令するための接続再アクティブ化指標を保持する、段階、または
上記ユーザ機器が上記Ｎ３ＧＰＰ側でアイドル状態にあるとき、上記アクセスおよびモビリティ管理機能エンティティによって、第４のメッセージを上記セッション管理機能エンティティに送信する段階であって、上記第４のメッセージは、上記ユーザ機器が到達不可能であることを示すために用いられる、段階、を備える、接続再アクティブ化方法。
（項目２）
上記アクセスおよびモビリティ管理機能エンティティによって、第４のメッセージを上記セッション管理機能エンティティに上記送信する段階の前に、上記接続再アクティブ化方法は、さらに、
上記アクセスおよびモビリティ管理機能エンティティによって、上記ユーザ機器が次の周期的登録要求を開始する時点に基づき、上記第４のメッセージを送信するか否かを決定する段階を備える、項目１に記載の接続再アクティブ化方法。
（項目３）
上記第１の再アクティブ化指標は、上記ＰＤＵセッションのセッション識別子を含む、項目１または２に記載の接続再アクティブ化方法。
（項目４）
上記接続再アクティブ化指標は、上記ＰＤＵセッションの上記セッション識別子、上記ＰＤＵセッションに関連付けられた無線アクセス技術タイプ、および上記ＰＤＵセッションに関連付けられたアクセスネットワーク識別子のうちの１または複数を含む、項目１から３のいずれか一項に記載の接続再アクティブ化方法。
（項目５）
ユーザ機器によって、Ｎ３ＧＰＰアクセスネットワークを用いて第２のメッセージをアクセスおよびモビリティ管理機能エンティティに送信する段階であって、上記第２のメッセージは、周期的登録要求または第１のサービス要求である、段階と、
上記ユーザ機器によって、上記アクセスおよびモビリティ管理機能エンティティにより送信された第３のメッセージを、上記Ｎ３ＧＰＰアクセスネットワークを用いて受信する段階であって、上記第３のメッセージは、接続再アクティブ化指標を保持する、段階と、
上記ユーザ機器によって、上記Ｎ３ＧＰＰアクセスネットワークを用いて第２のサービス要求を開始する段階であって、上記第２のサービス要求は、ＰＤＵセッションの接続の再アクティブ化を要求するために用いられ、上記ＰＤＵセッションは、Ｎ３ＧＰＰ側で上記ユーザ機器によって確立されている、段階と、を備える、接続再アクティブ化方法。
（項目６）
上記接続再アクティブ化指標は、上記ＰＤＵセッションのセッション識別子、上記ＰＤＵセッションに関連付けられた無線アクセス技術タイプ、および上記ＰＤＵセッションに関連付けられたアクセスネットワーク識別子のうちの１または複数を含む、項目５に記載の接続再アクティブ化方法。
（項目７）
アクセスおよびモビリティ管理機能エンティティによって、セッション管理機能エンティティにより送信された第１のメッセージを受信する段階であって、上記第１のメッセージは、プロトコルデータユニットＰＤＵセッションの接続を再アクティブ化するよう命令するために用いられる第１の再アクティブ化指標を保持し、上記ＰＤＵセッションは、Ｎ３ＧＰＰ側でユーザ機器によって確立されている、段階と、
上記ユーザ機器が上記Ｎ３ＧＰＰ側でアイドル状態にあるとき、上記アクセスおよびモビリティ管理機能エンティティによって、上記第１の再アクティブ化指標に基づき、３ＧＰＰアクセスネットワークを用いて、第２のメッセージを上記ユーザ機器に送信する段階であって、上記第２のメッセージは、上記ユーザ機器に対し、上記ＰＤＵセッションの上記接続を再アクティブ化するよう命令するために用いられる、段階と、を備える、接続再アクティブ化方法。
（項目８）
上記アクセスおよびモビリティ管理機能エンティティによって、上記第１の再アクティブ化指標に基づき、３ＧＰＰアクセスネットワークを用いて、第２のメッセージを上記ユーザ機器に上記送信する段階であって、上記第２のメッセージは、上記ユーザ機器に対し、上記ＰＤＵセッションの上記接続を再アクティブ化するよう命令するために用いられる、段階は、
上記ユーザ機器が３ＧＰＰ側で接続状態にあると決定したとき、上記アクセスおよびモビリティ管理機能エンティティによって、上記第１の再アクティブ化指標に基づき、上記３ＧＰＰアクセスネットワークを用いて通知メッセージを上記ユーザ機器に送信する段階であって、上記通知メッセージは、接続再アクティブ化指標を保持し、上記接続再アクティブ化指標は、上記ユーザ機器に対し、上記ＰＤＵセッションの上記接続を再アクティブ化するよう命令するために用いられる、段階、または、
上記ユーザ機器が３ＧＰＰ側でアイドル状態にあると決定したとき、上記アクセスおよびモビリティ管理機能エンティティによって、上記第１の再アクティブ化指標に基づき、上記３ＧＰＰアクセスネットワークを用いてページングメッセージを上記ユーザ機器に送信する段階であって、上記ページングメッセージは、接続再アクティブ化指標を保持し、上記接続再アクティブ化指標は、上記ユーザ機器に対し、上記ＰＤＵセッションの上記接続を再アクティブ化するよう命令するために用いられる、段階を含む、項目７に記載の接続再アクティブ化方法。
（項目９）
上記第２のメッセージは、上記ユーザ機器に対し、Ｎ３ＧＰＰアクセスネットワークを用いて、上記ＰＤＵセッションの上記接続を再アクティブ化するよう命令するために用いられる、項目７または８に記載の接続再アクティブ化方法。
（項目１０）
上記第１の再アクティブ化指標は、上記ＰＤＵセッションのセッション識別子を含む、項目７から９のいずれか一項に記載の接続再アクティブ化方法。
（項目１１）
上記接続再アクティブ化指標は、上記ＰＤＵセッションの上記セッション識別子、上記ＰＤＵセッションに関連付けられた無線アクセス技術タイプおよび上記ＰＤＵセッションに関連付けられたアクセスネットワーク識別子のうちの１または複数を含む、項目７から１０のいずれか一項に記載の接続再アクティブ化方法。
（項目１２）
ユーザ機器がＮ３ＧＰＰ側でアイドル状態にあるとき、上記ユーザ機器によって、アクセスおよびモビリティ管理機能エンティティにより送信された第２のメッセージを、３ＧＰＰアクセスネットワークを用いて受信する段階であって、上記第２のメッセージは、プロトコルデータユニットＰＤＵセッションの接続を再アクティブ化するよう命令するために用いられ、上記ＰＤＵセッションは、上記Ｎ３ＧＰＰ側で上記ユーザ機器によって確立されている、段階と、
上記ユーザ機器によって、サービス要求を開始する段階であって、上記サービス要求は、上記ＰＤＵセッションの上記接続の再アクティブ化を要求するために用いられる、段階と、を備える、接続再アクティブ化方法。
（項目１３）
上記ユーザ機器によって、アクセスおよびモビリティ管理機能エンティティにより送信された第２のメッセージを、３ＧＰＰアクセスネットワークを用いて上記受信する段階は、
上記ユーザ機器が３ＧＰＰ側で接続状態にあるとき、上記ユーザ機器によって、上記アクセスおよびモビリティ管理機能エンティティにより送信された通知メッセージを、上記３ＧＰＰアクセスネットワークを用いて受信する段階であって、上記通知メッセージは、接続再アクティブ化指標を保持し、上記接続再アクティブ化指標は、上記ユーザ機器に対し、上記ＰＤＵセッションの上記接続を再アクティブ化するよう命令するために用いられる、段階、または、
上記ユーザ機器が３ＧＰＰ側でアイドル状態にあるとき、上記ユーザ機器によって、上記アクセスおよびモビリティ管理機能エンティティにより送信されたページングメッセージを、上記３ＧＰＰアクセスネットワークを用いて受信する段階であって、上記ページングメッセージは、接続再アクティブ化指標を保持し、上記接続再アクティブ化指標は、上記ユーザ機器に対し、上記ＰＤＵセッションの上記接続を再アクティブ化するよう命令するために用いられる、段階を含む、項目１２に記載の接続再アクティブ化方法。
（項目１４）
上記ユーザ機器によって、サービス要求を上記開始する段階の前に、上記接続再アクティブ化方法は、さらに、
上記ユーザ機器によって、上記接続再アクティブ化指標および上記ユーザ機器内に格納されたコンテキストに基づき、Ｎ３ＧＰＰアクセスネットワークを用いて、上記サービス要求を開始すると決定する段階を備え、
上記ユーザ機器によって、サービス要求を上記開始する段階は、
上記ユーザ機器によって、上記Ｎ３ＧＰＰアクセスネットワークを用いて、上記サービス要求を開始する段階を含む、項目１２または１３に記載の接続再アクティブ化方法。
（項目１５）
上記接続再アクティブ化指標は、上記ＰＤＵセッションのセッション識別子、上記ＰＤＵセッションに関連付けられた無線アクセス技術タイプおよび上記ＰＤＵセッションに関連付けられたアクセスネットワーク識別子のうちの１または複数を含む、項目１３に記載の接続再アクティブ化方法。
（項目１６）
上記サービス要求は、上記ＰＤＵセッションの上記セッション識別子を保持する、項目１３から１５のいずれか一項に記載の接続再アクティブ化方法。
（項目１７）
セッション管理機能エンティティにより送信された第１のメッセージを受信するように構成された受信機であって、上記第１のメッセージは、プロトコルデータユニットＰＤＵセッションの接続を再アクティブ化するよう命令するために用いられる第１の再アクティブ化指標を保持し、上記ＰＤＵセッションは、Ｎ３ＧＰＰ側でユーザ機器によって確立されている、受信機、および
メモリ内に格納されたプログラムを実行して、上記ユーザ機器が上記Ｎ３ＧＰＰ側でアイドル状態にあるとき、上記第１の再アクティブ化指標を格納する手順を実行させるように構成されたプロセッサであって、上記受信機は、さらに、上記ユーザ機器により送信された第２のメッセージを、Ｎ３ＧＰＰアクセスネットワークを用いて受信するように構成されており、上記第２のメッセージは、周期的登録要求または第１のサービス要求である、プロセッサおよび上記第１の再アクティブ化指標に基づき、上記Ｎ３ＧＰＰアクセスネットワークを用いて第３のメッセージを上記ユーザ機器に送信するように構成された送信機であって、上記第３のメッセージは、上記ユーザ機器に対し、上記ＰＤＵセッションの上記接続を再アクティブ化するよう命令するための接続再アクティブ化指標を保持する、送信機、または
上記ユーザ機器が上記Ｎ３ＧＰＰ側でアイドル状態のとき、送信機は、さらに、第４のメッセージを上記セッション管理機能エンティティに送信するように構成されており、上記第４のメッセージは、上記ユーザ機器が到達不可能であることを示すために用いられる、を備える、アクセスおよびモビリティ管理機能エンティティ。
（項目１８）
上記プロセッサは、さらに、上記メモリ内に格納された上記プログラムを実行して、
上記送信機が、上記第４のメッセージを上記セッション管理機能エンティティに送信する前に、上記ユーザ機器が次の周期的登録要求を開始する時点に基づき、上記第４のメッセージを送信するか否かを決定する手順を実行させるように構成されている、項目１７に記載のアクセスおよびモビリティ管理機能エンティティ。
（項目１９）
上記第１の再アクティブ化指標は、上記ＰＤＵセッションのセッション識別子を含む、項目１７または１８に記載のアクセスおよびモビリティ管理機能エンティティ。
（項目２０）
上記接続再アクティブ化指標が、上記ＰＤＵセッションの上記セッション識別子、上記ＰＤＵセッションに関連付けられた無線アクセス技術タイプおよび上記ＰＤＵセッションに関連付けられたアクセスネットワーク識別子のうちの１または複数を含む、項目１７から１９のいずれか一項に記載のアクセスおよびモビリティ管理機能エンティティ。
（項目２１）
Ｎ３ＧＰＰアクセスネットワークを用いて、第２のメッセージをアクセスおよびモビリティ管理機能エンティティに送信するように構成された送信機であって、上記第２のメッセージは、周期的登録要求または第１のサービス要求である、送信機と、
上記アクセスおよびモビリティ管理機能エンティティにより送信された第３のメッセージを、上記Ｎ３ＧＰＰアクセスネットワークを用いて受信するように構成された受信機であって、上記第３のメッセージは、接続再アクティブ化指標を保持する、受信機と、を備え、
上記送信機は、さらに、上記Ｎ３ＧＰＰアクセスネットワークを用いて、第２のサービス要求を開始するように構成されており、上記第２のサービス要求は、上記ＰＤＵセッションの接続の再アクティブ化を要求するために用いられ、上記ＰＤＵセッションは、Ｎ３ＧＰＰ側でユーザ機器によって確立されている、ユーザ機器。
（項目２２）
上記接続再アクティブ化指標は、上記ＰＤＵセッションのセッション識別子、上記ＰＤＵセッションに関連付けられた無線アクセス技術タイプおよび上記ＰＤＵセッションに関連付けられたアクセスネットワーク識別子のうちの１または複数を含む、項目２１に記載のユーザ機器。
（項目２３）
セッション管理機能エンティティにより送信された第１のメッセージを受信するように構成された受信機であって、上記第１のメッセージは、プロトコルデータユニットＰＤＵセッションの接続を再アクティブ化するよう命令するために用いられる第１の再アクティブ化指標を保持し、上記ＰＤＵセッションは、Ｎ３ＧＰＰ側でユーザ機器によって確立されている、受信機と、
上記ユーザ機器が上記Ｎ３ＧＰＰ側でアイドル状態にあるとき、上記第１の再アクティブ化指標に基づき、３ＧＰＰアクセスネットワークを用いて、第２のメッセージを上記ユーザ機器に送信するように構成された送信機であって、上記第２のメッセージは、上記ユーザ機器に対し、上記ＰＤＵセッションの上記接続を再アクティブ化するよう命令するために用いられる、送信機と、を備える、アクセスおよびモビリティ管理機能エンティティ。
（項目２４）
上記第１の再アクティブ化指標に基づき、上記３ＧＰＰアクセスネットワークを用いて、上記第２のメッセージを上記ユーザ機器に送信する場合において、上記第２のメッセージが、上記ユーザ機器に対し、上記ＰＤＵセッションの上記接続を再アクティブ化するよう命令するために用いられるとき、上記送信機は、具体的に、
上記ユーザ機器が３ＧＰＰ側で接続状態にあるとき、上記第１の再アクティブ化指標に基づき、上記３ＧＰＰアクセスネットワークを用いて、通知メッセージを上記ユーザ機器に送信するように構成されており、上記通知メッセージは、接続再アクティブ化指標を保持し、上記接続再アクティブ化指標は、上記ユーザ機器に対し、上記ＰＤＵセッションの上記接続を再アクティブ化するよう命令するために用いられる、または、
上記ユーザ機器が３ＧＰＰ側でアイドル状態にあるとき、上記第１の再アクティブ化指標に基づき、上記３ＧＰＰアクセスネットワークを用いて、ページングメッセージを上記ユーザ機器に送信するように構成されており、上記ページングメッセージは、接続再アクティブ化指標を保持し、上記接続再アクティブ化指標は、上記ユーザ機器に対し、上記ＰＤＵセッションの上記接続を再アクティブ化するよう命令するために用いられる、項目２３に記載のアクセスおよびモビリティ管理機能エンティティ。
（項目２５）
上記第２のメッセージは、上記ユーザ機器に対し、Ｎ３ＧＰＰアクセスネットワークを用いて、上記ＰＤＵセッションの上記接続を再アクティブ化するよう命令するために用いられる、項目２３または２４に記載のアクセスおよびモビリティ管理機能エンティティ。
（項目２６）
上記第１の再アクティブ化指標は、上記ＰＤＵセッションのセッション識別子を含む、項目２３から２５のいずれか一項に記載のアクセスおよびモビリティ管理機能エンティティ。
（項目２７）
上記接続再アクティブ化指標は、上記ＰＤＵセッションの上記セッション識別子、上記ＰＤＵセッションに関連付けられた無線アクセス技術タイプおよび上記ＰＤＵセッションに関連付けられたアクセスネットワーク識別子のうちの１または複数を含む、項目２３から２６のいずれか一項に記載のアクセスおよびモビリティ管理機能エンティティ。
（項目２８）
ユーザ機器がＮ３ＧＰＰ側でアイドル状態にあるとき、アクセスおよびモビリティ管理機能エンティティにより送信された第２のメッセージを、３ＧＰＰアクセスネットワークを用いて受信するように構成された受信機であって、上記第２のメッセージは、プロトコルデータユニットＰＤＵセッションの接続を再アクティブ化するよう命令するために用いられ、上記ＰＤＵセッションは、上記Ｎ３ＧＰＰ側で上記ユーザ機器によって確立されている、受信機と、
サービス要求を開始するように構成された送信機であって、上記サービス要求は、上記ＰＤＵセッションの上記接続の再アクティブ化を要求するために用いられる、送信機と、を備える、ユーザ機器。
（項目２９）
上記アクセスおよびモビリティ管理機能エンティティにより送信された上記第２のメッセージを、上記３ＧＰＰアクセスネットワークを用いて受信するとき、上記受信機は、具体的に、
上記ユーザ機器が３ＧＰＰ側で接続状態にあるとき、上記アクセスおよびモビリティ管理機能エンティティにより送信された通知メッセージを、上記３ＧＰＰアクセスネットワークを用いて受信するように構成されており、上記通知メッセージは、接続再アクティブ化指標を保持し、上記接続再アクティブ化指標は、上記ユーザ機器に対し、上記ＰＤＵセッションの上記接続を再アクティブ化するよう命令するために用いられる、または
上記ユーザ機器が３ＧＰＰ側でアイドル状態にあるとき、上記アクセスおよびモビリティ管理機能エンティティにより送信されたページングメッセージを、上記３ＧＰＰアクセスネットワークを用いて受信するように構成されており、上記ページングメッセージは、接続再アクティブ化指標を保持し、上記接続再アクティブ化指標は、上記ユーザ機器に対し、上記ＰＤＵセッションの上記接続を再アクティブ化するよう命令するために用いられる、項目２８に記載のユーザ機器。
（項目３０）
上記サービス要求を開始するとき、上記送信機は、具体的に、Ｎ３ＧＰＰアクセスネットワークを用いて上記サービス要求を開始するように構成されており、
上記第２のメッセージは、上記ユーザ機器に対し、上記Ｎ３ＧＰＰアクセスネットワークを用いて、上記ＰＤＵセッションの上記接続を再アクティブ化するよう命令するために用いられる、項目２８または２９に記載のユーザ機器。
（項目３１）
メモリ内に格納されたプログラムを実行して、上記送信機が、上記サービス要求を開始する前に、上記接続再アクティブ化指標および上記ユーザ機器に格納されたコンテキストに基づいて、上記サービス要求が、Ｎ３ＧＰＰアクセスネットワークを用いて開始されるべきであることを決定する手順を実行させるように構成されたプロセッサをさらに備え、
上記サービス要求を開始するとき、上記送信機は、具体的に、上記Ｎ３ＧＰＰアクセスネットワークを用いて、上記サービス要求を開始するように構成されている、項目２８または２９に記載のユーザ機器。
【図１】
0006940122.tif 000002
【図２】
0006940122.tif 000003
【図３】
0006940122.tif 000004
【図４】
0006940122.tif 000005
【図５】
0006940122.tif 000006
【図６】
0006940122.tif 000007
【図７】
0006940122.tif 000008
【図８】
0006940122.tif 000009
【図９】
0006940122.tif 000010
【図１０】
0006940122.tif 000011
【図１１】
0006940122.tif 000012
【図１２】
0006940122.tif 000013
【図１３】
0006940122.tif 000014
【図１４】
0006940122.tif 000015
【図１５】
0006940122.tif 000016
【図１６】
0006940122.tif 000017
【図１７】
0006940122.tif 000018
【図１８】
0006940122.tif 000019